(57)【特許請求の範囲】
【請求項１】
ワイヤレス通信の方法であって、
シンボルの第1の組とシンボルの第2の組とからなるプリアンブル信号を生成するステップであり、前記シンボルの第1の組が、プリアンブルシーケンスのパイロットシンボルに関連付けられたサブキャリアの第1の組にマッピングされた第1の無線アクセス技術(RAT)に関連付けられた前記プリアンブルシーケンスに対応し、前記シンボルの第2の組が、サブキャリアの第2の組にマッピングされた第2のRATに関連付けられたシグネチャに対応し、前記サブキャリアの第2の組が、前記サブキャリアの第1の組のそれぞれのサブキャリアの間の1つまたは複数のサブキャリア周波数からなり、前記シンボルの第1の組が、前記第1のRATと前記第2のRATの両方にとって識別可能であり、前記シンボルの第2の組が、前記第2のRATにとって識別可能である、ステップと、
前記第1のRATおよび前記第2のRATによって共有される周波数チャネルを介して前記プリアンブル信号を送信するステップと
を含む方法。
【請求項２】
前記生成するステップが、
周波数領域信号を取得するために、前記シンボルの第1の組と前記シンボルの第2の組との周波数ドメイン重畳を実行するためのステップと、
前記周波数領域信号において周波数領域から時間領域への変換を実行するステップと
を含む、請求項1に記載の方法。
【請求項３】
前記生成するステップが、
前記周波数領域の重畳を実行する前記ステップの前に、前記シンボルの第2の組に利得比を適用するステップ
をさらに含む、請求項2に記載の方法。
【請求項４】
前記サブキャリアの第1の組が、前記第1のRATを介した送信に関連付けられた第1のサブキャリア間隔を有するサブキャリアのサブセットを含み、前記サブキャリアの第2の組が、前記第1のサブキャリア間隔よりも小さい第2のサブキャリア間隔を有する1つまたは複数のサブキャリアを含む、請求項1に記載の方法。
【請求項５】
前記生成するステップが、
前記第2のRATの送信に関連付けられたサンプリング周波数に対する前記プリアンブル信号を再サンプリングするステップ
を含む、請求項1に記載の方法。
【請求項６】
前記第2のRATの送信に関連付けられた前記サンプリング周波数が、前記第1のRATの送信に関連付けられたサンプリング周波数とは異なる、請求項5に記載の方法。
【請求項７】
前記シグネチャが、互いの相互相関が低いあらかじめ定義されたシグネチャの組から選択される、請求項1に記載の方法。
【請求項８】
前記あらかじめ定義されたシグネチャの組から前記シグネチャの選択が、前記第2のRATの送信機デバイスに関連付けられたデバイス識別子、前記第2のRATのセルに関連付けられたセル識別子、前記第2のRATのサポートされたリリースバージョン、前記送信機デバイスの電力クラス、送信長さ、パブリックランドモバイルネットワークID、チャネル番号、またはそれらの任意の組合せに少なくとも部分的に基づく、請求項7に記載の方法。
【請求項９】
前記あらかじめ定義されたシグネチャの組が、1つまたは複数のChuシーケンスを含む、請求項7に記載の方法。
【請求項１０】
前記生成するステップが、
擬似雑音(PN)関数に少なくとも部分的に基づいて前記シグネチャを生成するステップ
を含む、請求項1に記載の方法。
【請求項１１】
前記送信のための送信電力が、前記第1のRATに関連付けられた前記プリアンブルシーケンスについてのあらかじめ定義された送信電力レベルに少なくとも部分的に基づいて選択される、請求項1に記載の方法。
【請求項１２】
前記第1のRATが、ワイヤレスローカルエリアネットワーク(WLAN)RATを含み、前記シンボルの第1の組が、前記WLAN RATのショートトレーニングフィールド(STF)またはロングトレーニングフィールド(LTF)の一方または両方のパイロットシンボルを含み得、前記第2のRATが、ロングタームエボリューション(LTE)RATまたはLTE-Advanced(LTE-A) RATを含む、請求項1に記載の方法。
【請求項１３】
ワイヤレス通信の方法であって、
共有周波数チャネルを介して送信されたプリアンブル信号を受信するステップであり、前記プリアンブル信号が、第1の無線アクセス技術(RAT)に関連付けられたあらかじめ定められたプリアンブル持続時間を有し、前記プリアンブル信号が、プリアンブルシーケンスのパイロットシンボルに関連付けられたサブキャリアの第1の組にマッピングされた前記第1のRATに関連付けられた前記プリアンブルシーケンスに対応するシンボルの第1の組、およびサブキャリアの第2の組にマッピングされた第2のRATに関連付けられたシグネチャに対応するシンボルの第2の組を有し、前記サブキャリアの第2の組が、前記サブキャリアの第1の組のそれぞれのサブキャリアの間の1つまたは複数のサブキャリア周波数からなる、ステップと、
前記受信されたプリアンブル信号内の前記シグネチャに少なくとも部分的に基づいて、前記受信されたプリアンブル信号に関連付けられた送信機デバイスが前記第2のRATに関連付けられていると判定するステップと
を含む方法。
【請求項１４】
前記判定するステップが、
前記受信されたプリアンブル信号を、前記第2のRATの送信に関連付けられた第1のサンプリングレートでサンプリングするステップと、
前記受信されたプリアンブル信号を、前記第1のRATのプリアンブル送信に関連付けられた第2のサンプリングレートで再サンプリングするステップと
を含む請求項13に記載の方法。
【請求項１５】
前記判定するステップが、
前記受信されたプリアンブル信号と前記第2のRATに関連付けられた前記シグネチャとの周波数領域の相関を実行するステップ
を含む、請求項13に記載の方法。
【請求項１６】
前記周波数領域の相関を実行するステップが、
前記周波数領域の相関をしきい値と比較するステップ
を含む、請求項15に記載の方法。
【請求項１７】
前記しきい値が、前記受信されたプリアンブル信号の信号対雑音比(SNR)または信号対干渉雑音比(SINR)に少なくとも部分的に基づいて決定される、請求項16に記載の方法。
【請求項１８】
前記シンボルの第1の組が、ワイヤレスローカルエリアネットワーク(WLAN) RATのショートトレーニングフィールド(STF)またはロングトレーニングフィールド(LTF)の一方または両方のパイロットシンボルを含み、前記受信されたプリアンブル信号に関連付けられた前記送信機デバイスが前記第2のRATに関連付けられていると判定する前記ステップが、前記STF、前記LTF、またはそれらの任意の組合せにおける前記シンボルの第2の組の識別に少なくとも部分的に基づく、請求項13に記載の方法。
【請求項１９】
ワイヤレス通信のための装置であって、
プロセッサと、
前記プロセッサと電子通信するメモリと、
前記メモリに記憶された命令であって、前記プロセッサによって実行されると、
シンボルの第1の組とシンボルの第2の組とからなるプリアンブル信号を生成させることであって、前記シンボルの第1の組が、プリアンブルシーケンスのパイロットシンボルに関連付けられたサブキャリアの第1の組にマッピングされた第1の無線アクセス技術(RAT)に関連付けられた前記プリアンブルシーケンスに対応し、前記シンボルの第2の組が、サブキャリアの第2の組にマッピングされた第2のRATに関連付けられたシグネチャに対応し、前記サブキャリアの第2の組が、前記サブキャリアの第1の組のそれぞれのサブキャリアの間の1つまたは複数のサブキャリア周波数からなり、前記シンボルの第1の組が、前記第1のRATと前記第2のRATの両方にとって識別可能であり、前記シンボルの第2の組が、前記第2のRATにとって識別可能である、前記生成させることと、
前記第1のRATおよび前記第2のRATによって共有される周波数チャネルを介して前記プリアンブル信号を送信させることと、
を前記装置に動作可能な前記命令と
を含む装置。
【請求項２０】
前記プリアンブル信号を生成させる前記命令が、
周波数領域信号を取得するために、前記シンボルの第1の組と前記シンボルの第2の組との周波数領域の重畳を実行させることと、
前記周波数領域信号において周波数領域から時間領域への変換を実行させること
を前記装置に動作可能に構成される、請求項19に記載の装置。
【請求項２１】
前記プリアンブル信号を生成させる前記命令が、
前記周波数領域の重畳を実行する前に、前記シンボルの第2の組に利得比を適用させること
を前記装置に動作可能に構成される、請求項20に記載の装置。
【請求項２２】
前記プリアンブル信号を生成させる前記命令が、
前記第2のRATの送信に関連付けられたサンプリング周波数に対する前記プリアンブル信号を再サンプリングさせること
を前記装置に動作可能に構成される、請求項19に記載の装置。
【請求項２３】
前記シグネチャが、互いの相互相関が低いあらかじめ定義されたシグネチャの組から選択される、請求項19に記載の装置。
【請求項２４】
前記あらかじめ定義されたシグネチャの組から前記シグネチャを選択させる命令が、
前記第2のRATの送信機デバイスに関連付けられたデバイス識別子、前記第2のRATのセルに関連付けられたセル識別子、前記第2のRATのサポートされたリリースバージョン、前記送信機デバイスの電力クラス、送信長さ、パブリックランドモバイルネットワークID、チャネル番号、またはそれらの任意の組合せに少なくとも部分的に基づくように動作可能に構成される、請求項23に記載の装置。
【請求項２５】
前記命令が、擬似雑音(PN)関数に少なくとも部分的に基づいて前記シグネチャを生成させること、を前記装置に動作可能に構成される、請求項19に記載の装置。
【請求項２６】
ワイヤレス通信のための装置であって、
プロセッサと、
前記プロセッサと電子通信するメモリと、
前記メモリに記憶された命令であって、前記プロセッサによって実行されると、
共有周波数チャネルを介して送信されたプリアンブル信号を受信させることであって、前記プリアンブル信号が、第1の無線アクセス技術(RAT)に関連付けられたあらかじめ定められたプリアンブル持続時間を有し、前記プリアンブル信号が、プリアンブルシーケンスのパイロットシンボルに関連付けられたサブキャリアの第1の組にマッピングされた前記第1のRATに関連付けられた前記プリアンブルシーケンスに対応するシンボルの第1の組、およびサブキャリアの第2の組にマッピングされた第2のRATに関連付けられたシグネチャに対応するシンボルの第2の組を有し、前記サブキャリアの第2の組が、前記サブキャリアの第1の組のそれぞれのサブキャリアの間の1つまたは複数のサブキャリア周波数からなる、前記受信させることと、
前記受信されたプリアンブル信号内の前記シグネチャに少なくとも部分的に基づいて、前記受信されたプリアンブル信号に関連付けられた送信機デバイスが前記第2のRATに関連付けられていると判定させることと
を前記装置に動作可能な前記命令と
を含む装置。
【請求項２７】
前記送信機デバイスが前記第2のRATに関連付けられていると判定させる前記命令が、
前記受信されたプリアンブル信号を、前記第2のRATの送信に関連付けられた第1のサンプリングレートでサンプリングさせることと、
前記受信されたプリアンブル信号を、前記第1のRATのプリアンブル送信に関連付けられた第2のサンプリングレートで再サンプリングさせることと
を前記装置に動作可能に構成される、請求項26に記載の装置。
【請求項２８】
前記送信機デバイスが前記第2のRATに関連付けられていると判定させる前記命令が、
前記受信されたプリアンブル信号と前記シグネチャとの周波数領域の相関を実行させることと
を前記装置に動作可能に構成される、請求項26に記載の装置。
【請求項２９】
前記サブキャリアの第1の組が、前記第1のRATを介した送信に関連付けられた第1のサブキャリア間隔を有するサブキャリアのサブセットを含み、前記サブキャリアの第2の組が、前記第1のサブキャリア間隔よりも小さい第2のサブキャリア間隔を有する1つまたは複数のサブキャリアを含む、請求項19に記載の装置。
【請求項３０】
前記シンボルの第1の組が、ワイヤレスローカルエリアネットワーク(WLAN) RATのショートトレーニングフィールド(STF)またはロングトレーニングフィールド(LTF)の一方または両方のパイロットシンボルを含み、前記受信されたプリアンブル信号に関連付けられた前記送信機デバイスが前記第2のRATに関連付けられていると判定させることが、前記STF、前記LTF、またはそれらの任意の組合せにおける前記シンボルの第2の組の識別に少なくとも部分的に基づく、請求項26に記載の装置。
【発明の詳細な説明】
【技術分野】
【０００１】
相互参照
本特許出願は、各々が本出願の譲受人に譲渡された、2016年2月5日に出願された「Superposition Coding Based Preamble Designs for Co-Existing Radio Access Technologies」と題する、Leiらによる米国特許出願第15/017,323号、および2015年2月20日に出願された「Superposition Coding Based Preamble Design for LTE-U and Wi-Fi Co-Existence」と題する、Leiらによる米国仮特許出願第62/119,039号の優先権を主張する。
【０００２】
以下は、一般に、ワイヤレス通信に関し、より詳細には、共存する無線アクセス技術(RAT)のための重畳コーディングベースのプリアンブル設計に関し、これは、いくつかの例では、ロングタームエボリューション(LTE)ベースのプロトコル(たとえば、LTE、LTE-Advanced(LTE-A)、LTE-Unlicensed(LTE-U)など)を使用するRAT、およびワイヤレスローカルエリアネットワーク(たとえば、Wi-Fiなど)プロトコルを使用するRATの共存を含み得る。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、シングルキャリア周波数分割多元接続(SC-FDMA)システム、および直交周波数分割多元接続(OFDMA)システムがある。
【０００４】
例として、第1のワイヤレス多元接続通信システムは、ワイヤレスローカルエリアネットワーク(WLAN)技術などの第1の無線アクセス技術(RAT)に従って動作し、複数のモバイルデバイスまたはステーション(STA)の通信を各々同時にサポートするいくつかの基地局またはアクセスポイント(AP)を含み得る。APは、ダウンストリームリンクおよびアップストリームリンク上でSTAと通信し得る。第2のワイヤレス多元接続通信システムは、LTEなどの第2のRATに従って動作し、場合によってはユーザ機器(UE)として知られる複数の通信デバイスの通信を各々同時にサポートするいくつかの基地局を含み得る。基地局は、ダウンリンクチャネル(たとえば、基地局からUEへの送信用)およびアップリンクチャネル(たとえば、UEから基地局への送信用)上でUEと通信し得る。いくつかの場合には、両方のタイプの通信システムが互いの存在下で動作し得(たとえば、共存し得る)、両方とも無線周波数スペクトルの共有リソースを使用し得る。
【０００５】
Wi-Fiネットワークなどのワイヤレスローカルエリアネットワーク(WLAN)では、APは、共有無線周波数スペクトル帯域を介して複数のSTAと通信し得る。STAは、制御フレームの交換を介した送信の確認が近くの通信デバイスによって経験される干渉を制限するように、通信リンクを確立する前に制御フレームを送信することを含む競合手順を使用し得る。そのような技法の一例は、たとえば、別のデバイス(たとえば、別のSTAまたはAP)と通信しようとするSTAが、デバイスによって受信されるべきRTSフレームを最初に送り得る、送信要求(RTS)および送信可(CTS)メッセージングを含む。受信側デバイスがひとたびRTSフレームを受信すると、受信側デバイスは、CTSフレームを送ることによって通信リンクを確認し得る。CTSフレームがSTAによって受信された後、STAは、次いで、共有無線周波数スペクトル帯域を介して受信側デバイスによって受信されるべきデータを送信し始めることができる。このようにして、RTS/CTSメッセージングは、APまたはSTAにデータを送信する前に、STAまたはAPなどのデバイスが共有無線周波数スペクトル帯域の少なくとも一部をクリアおよび/または予約できるようにすることによって、フレームの衝突を低減することができる。
【０００６】
LTEネットワークでは、基地局およびUEは、セルラーネットワークの(たとえば、専用無線周波数スペクトル帯域および共有無線周波数スペクトル帯域など)無線周波数スペクトルの専用周波数スペクトル帯域を介して、または異なる周波数スペクトル帯域を介して通信し得る。専用(たとえば、認可)無線周波数スペクトル帯域を使用するセルラーネットワークにおけるデータトラフィックの増加に伴い、共有無線周波数スペクトル帯域への少なくとも一部のデータトラフィックのオフロードは、セルラー事業者にデータ送信容量の向上の機会を提供し得る。共有無線周波数スペクトル帯域は、専用無線周波数帯域へのアクセスが利用できないエリアにおいてサービスを提供することもできる。いくつかの例では、共有無線周波数スペクトル帯域上のLTE-Uデバイスは、無認可無線周波数スペクトル帯域を利用し得、LTE-Unlicensed(LTE-U)デバイスと呼ばれ得る。
【０００７】
共有無線周波数スペクトル帯域へのアクセスを獲得し、それを介して通信する前に、基地局またはUEは、共有無線周波数スペクトル帯域へのアクセスを取り合うためにリッスンビフォアトーク(LBT)手順を実行し得る。いくつかの例では、LBT手順は、共有無線周波数スペクトル帯域へのアクセスを獲得するためにWi-Fiデバイスによって使用される競合手順と互換性があり得る。LBT手順は、共有無線周波数スペクトル帯域のチャネルが利用可能であるかどうかを判定するために、クリアチャネルアセスメント(CCA)手順を実行することを含み得る。共有無線周波数スペクトル帯域のチャネルが利用可能であると判定されたとき、チャネルを予約するために、チャネル使用ビーコン信号(CUBS)が送信され得る。異なるUEまたは基地局は、CUBSを受信し、復号し、競合手順を中止し得、一方、STAまたはAPは、CUBSが送信されたと判定するために、チャネルを監視し、エネルギー検出を使用し得る。CUBSを識別した後、他の基地局またはUEは、送信側UEによって使用されていない共有無線周波数スペクトル帯域上のリソースを利用し得る。検出されたエネルギーがしきい値を超えていると判定した後、Wi-Fiデバイスは、ある時間期間の間、チャネル上での送信を控え得る。しかしながら、チャネルのリソースを使用する他のWi-Fiデバイスは、CUBSのエネルギーがしきい値を超えないと判定しない、またはCUBSをまったく受信しない場合がある。したがって、これらの他のWi-Fiデバイスは、基地局またはUEのチャネルの予約およびチャネルの使用を妨げるように、そのチャネルまたは1つもしくは複数の干渉するチャネル(たとえば、重複または隣接チャネル)を使用し続け得る。
【０００８】
いくつかの例では、基地局またはUEは、Wi-Fiデバイスのエネルギー検出回路を介したWi-Fiデバイスの信号受信および復号回路の向上した感度に依存する通信を提供し得る。いくつかの例では、Wi-Fiデバイスのエネルギー検出回路は、Wi-Fi送信を検出するために使用される信号受信および復号回路(たとえば、Wi-Fiプリアンブル、CTS-to-Selfパケット、Wi-Fiデータパケットなど)ほど敏感ではない可能性がある。したがって、基地局またはUEは、Wi-Fiデバイスの受信および復号回路によって解釈されるチャネル予約指示を送信し得る。このようにして送信されたチャネル予約指示は、CUBSのエネルギーレベルが検出可能ではない場合があるシナリオでは、Wi-Fiデバイスによって検出され得る。しかしながら、LTE-UデバイスがWi-Fiプリアンブルを送信する場合、範囲内の他のLTE-Uデバイスは、Wi-Fiデバイスから送られたWi-Fiプリアンブルを、LTE-Uデバイスから送られたチャネル予約インジケータと区別することができない場合がある。したがって、LTE-Uデバイスは、共有無線周波数スペクトル帯域のチャネル上の未使用のリソースを利用せず、共有無線周波数スペクトル帯域のリソースの非効率的な利用をもたらす可能性がある。
【発明の概要】
【課題を解決するための手段】
【０００９】
共有無線周波数スペクトル帯域におけるチャネル予約に使用されるプリアンブルの重畳コーディングのためのシステム、方法、および装置について説明する。デバイスは、第1のRAT(たとえば、WLAN、Wi-Fiなど)用に構成されたデバイスから送られたプリアンブルを、第2のRAT(たとえば、LTE、LTE-A、LTE-Uなど)用に構成されたデバイスから送られたプリアンブルと区別し得る。いくつかの例では、第2のRATに関連付けられた(たとえば、それを使用する、使用することができるなど)ワイヤレスデバイスは、競合ベースの周波数チャネル(たとえば、共有無線周波数スペクトル帯域のチャネル)を介してデュアルユースプリアンブル(dual-use preamble)を送信し得る。デュアルユースプリアンブルは、第1のRATに有効なプリアンブルとして機能し、第2のRATに関連付けられたデバイスに加えて、第1のRATに関連付けられたデバイスによって受信され、復号され得る。また、デュアルユースプリアンブルは、第2のRATに関連付けられたデバイスによる検出のために、第2のRATに関連付けられたシグネチャを含み得る。シグネチャは、有効なプリアンブルとの干渉を最小限に抑えるように、プリアンブルに埋め込まれ得る。第1のRATに関連付けられたデバイスの第1の組は、デュアルユースプリアンブルを受信し、媒体の競合手順からバックオフし得る。第2のRATに関連付けられたデバイスの第2の組も、デュアルユースプリアンブルを受信し、さらにデュアルユースプリアンブルを処理して、シグネチャがプリアンブルに埋め込まれているかどうかを判定するようにし得る。デバイスの第2の組は、第1のRATに関連付けられたプリアンブルと、第1のRATと第2のRATの両方によって識別可能なデュアルユースプリアンブルとを区別するために、埋め込まれたシグネチャを使用し得る。いくつかの例では、デバイスの第1の組は、デュアルユースプリアンブルをさらに処理して、シグネチャを識別し、識別されたシグネチャを使用して、識別に応答して様々なステップをとるようにし得る。たとえば、デバイスの第1の組は、第2のRATを使用する通信のさらなる処理を回避するために、そのような識別情報を使用し得る。
【００１０】
ワイヤレス通信の方法について説明する。この方法は、シンボルの第1の組とシンボルの第2の組との重畳を有するプリアンブル信号を生成するステップであり、シンボルの第1の組は、第1の無線アクセス技術(RAT)に関連付けられたプリアンブルシーケンスに対応し、シンボルの第2の組は、第2のRATに関連付けられたシグネチャに対応し、シンボルの第1の組は、第1のRATと第2のRATの両方にとって識別可能であり、シンボルの第2の組は、第2のRATにとって識別可能である、ステップと、第1のRATおよび第2のRATによって共有される周波数チャネルを介してプリアンブル信号を送信するステップとを含み得る。
【００１１】
ワイヤレス通信のための装置について説明する。この装置は、シンボルの第1の組とシンボルの第2の組との重畳を有するプリアンブル信号を生成するための手段であり、シンボルの第1の組は、第1の無線アクセス技術(RAT)に関連付けられたプリアンブルシーケンスに対応し、シンボルの第2の組は、第2のRATに関連付けられたシグネチャに対応し、シンボルの第1の組は、第1のRATと第2のRATの両方にとって識別可能であり、シンボルの第2の組は、第2のRATにとって識別可能である、手段と、第1のRATおよび第2のRATによって共有される周波数チャネルを介してプリアンブル信号を送信するための手段とを含み得る。
【００１２】
ワイヤレス通信のための別の装置について説明する。この装置は、プロセッサと、プロセッサと電子通信しているメモリと、メモリに記憶され、プロセッサによって実行されると、装置に、シンボルの第1の組とシンボルの第2の組との重畳を有するプリアンブル信号を生成させ、シンボルの第1の組は、第1の無線アクセス技術(RAT)に関連付けられたプリアンブルシーケンスに対応し、シンボルの第2の組は、第2のRATに関連付けられたシグネチャに対応し、シンボルの第1の組は、第1のRATと第2のRATの両方にとって識別可能であり、シンボルの第2の組は、第2のRATにとって識別可能であり、第1のRATおよび第2のRATによって共有される周波数チャネルを介してプリアンブル信号を送信させるように動作可能である命令とを含み得る。
【００１３】
ワイヤレス通信のためのコードを記憶した非一時的コンピュータ可読媒体について説明する。このコードは、シンボルの第1の組とシンボルの第2の組との重畳を有するプリアンブル信号を生成し、シンボルの第1の組は、第1の無線アクセス技術(RAT)に関連付けられたプリアンブルシーケンスに対応し、シンボルの第2の組は、第2のRATに関連付けられたシグネチャに対応し、シンボルの第1の組は、第1のRATと第2のRATの両方にとって識別可能であり、シンボルの第2の組は、第2のRATにとって識別可能であり、第1のRATおよび第2のRATによって共有される周波数チャネルを介してプリアンブル信号を送信するように実行可能である命令を含み得る。
【００１４】
方法、装置、または非一時的コンピュータ可読媒体のいくつかの例では、プリアンブル信号を生成することは、周波数領域信号を取得するために、シンボルの第1の組とシンボルの第2の組との周波数ドメイン重畳を実行するため、および周波数領域信号において周波数領域から時間領域への変換を実行するためのステップ、特徴、手段、または命令を含み得る。追加または代替として、いくつかの例は、周波数領域重畳を実行する前にシンボルの第2の組に利得比を適用するためのステップ、特徴、手段、または命令を含み得る。
【００１５】
本明細書で説明する方法、装置、または非一時的コンピュータ可読媒体のいくつかの例では、周波数領域重畳を実行することは、シンボルの第1の組を、共有周波数チャネル内のプリアンブルシーケンスのパイロットシンボルに関連付けられたサブキャリアの第1の組にマッピングし、シンボルの第2の組を、共有周波数チャネル内のサブキャリアの第2の組にマッピングすることであり、サブキャリアの第2の組が、サブキャリアの第1の組のそれぞれのサブキャリアの間に1つまたは複数のサブキャリア周波数を含むことを含み得る。追加または代替として、いくつかの例では、サブキャリアの第1の組は、第1のRATを介した送信に関連付けられた第1のサブキャリア間隔を有するサブキャリアのサブセットを含み得、サブキャリアの第2の組は、第1のサブキャリア間隔よりも小さい第2のサブキャリア間隔を有する1つまたは複数のサブキャリアを含み得る。
【００１６】
本明細書で説明する方法、装置、または非一時的コンピュータ可読媒体のいくつかの例では、プリアンブル信号を生成することは、第2のRATの送信に関連付けられたサンプリング周波数に対するプリアンブル信号を再サンプリングするためのステップ、機能、手段、または命令を含み得る。追加または代替として、いくつかの例では、サンプリング周波数は、第1のRATの送信に関連付けられたサンプリング周波数とは異なり得る。
【００１７】
本明細書で説明する方法、装置、または非一時的コンピュータ可読媒体のいくつかの例では、互いに相互相関が低いあらかじめ定義されたシグネチャの組からシグネチャが選択され得る。追加または代替として、いくつかの例では、あらかじめ定義されたシグネチャの組からシグネチャを選択することは、第2のRATの送信機デバイスに関連付けられたデバイス識別子、第2のRATのセルに関連付けられたセル識別子、第2のRATのサポートされたリリースバージョン、送信機デバイスの電力クラス、送信長さ、パブリックランドモバイルネットワークID、チャネル番号、またはそれらの任意の組合せに少なくとも部分的に基づき得る。
【００１８】
本明細書で説明する方法、装置、または非一時的コンピュータ可読媒体のいくつかの例では、あらかじめ定義されたシグネチャの組は、Chuシーケンスを含み得る。追加または代替として、いくつかの例は、擬似雑音(PN)機能に少なくとも部分的に基づいてシグネチャを生成するためのステップ、特徴、手段、または命令を含み得る。
【００１９】
本明細書で説明する方法、装置、または非一時的コンピュータ可読媒体のいくつかの例では、送信の送信電力は、第1のRATのプリアンブルシーケンスのあらかじめ定義された送信電力レベルに少なくとも部分的に基づいて選択され得る。追加または代替として、いくつかの例では、第1のRATは、ワイヤレスローカルエリアネットワーク(WLAN)RATを含み、シンボルの第1の組は、WLAN RATのショートトレーニングフィールド(STF)またはロングトレーニングフィールド(LTF)の一方または両方のパイロットシンボルを含み得、第2のRATは、LTE RATまたはLTE-A RATを含む。
【００２０】
ワイヤレス通信の方法について説明する。この方法は、共有周波数チャネルを介して送信されたプリアンブル信号を受信するステップであり、プリアンブル信号が、第1の無線アクセス技術(RAT)に関連付けられたあらかじめ定められたプリアンブル持続時間を有し、プリアンブル信号が、第1のRATに関連付けられたプリアンブルシーケンスに対応するシンボルの第1の組、および第2のRATに関連付けられたシグネチャに対応するシンボルの第2の組を有する、ステップと、受信されたプリアンブル信号内のシグネチャを識別することに少なくとも部分的に基づいて、受信されたプリアンブル信号に関連付けられた送信機デバイスが第2のRATに関連付けられていると判定するステップとを含み得る。
【００２１】
ワイヤレス通信のための装置について説明する。この装置は、共有周波数チャネルを介して送信されたプリアンブル信号を受信するための手段であり、プリアンブル信号が、第1の無線アクセス技術(RAT)に関連付けられたあらかじめ定められたプリアンブル持続時間を有し、プリアンブル信号が、第1のRATに関連付けられたプリアンブルシーケンスに対応するシンボルの第1の組、および第2のRATに関連付けられたシグネチャに対応するシンボルの第2の組を有する、手段と、受信されたプリアンブル信号内のシグネチャを識別することに少なくとも部分的に基づいて、受信されたプリアンブル信号に関連付けられた送信機デバイスが第2のRATに関連付けられていると判定するための手段とを含み得る。
【００２２】
ワイヤレス通信のための別の装置について説明する。この装置は、プロセッサと、プロセッサと電子通信するメモリと、メモリ内に記憶された命令とを含み得る。命令は、プロセッサによって実行されると、装置に、共有周波数チャネルを介して送信されたプリアンブル信号を受信させ、プリアンブル信号が、第1の無線アクセス技術(RAT)に関連付けられたあらかじめ定められたプリアンブル持続時間を有し、プリアンブル信号が、第1のRATに関連付けられたプリアンブルシーケンスに対応するシンボルの第1の組、および第2のRATに関連付けられたシグネチャに対応するシンボルの第2の組を有し、受信されたプリアンブル信号内のシグネチャを識別することに少なくとも部分的に基づいて、受信されたプリアンブル信号に関連付けられた送信機デバイスが第2のRATに関連付けられていると判定させるように動作可能であり得る。
【００２３】
ワイヤレス通信のためのコードを記憶した非一時的コンピュータ可読媒体について説明する。このコードは、共有周波数チャネルを介して送信されたプリアンブル信号を受信し、プリアンブル信号が、第1の無線アクセス技術(RAT)に関連付けられたあらかじめ定められたプリアンブル持続時間を有し、プリアンブル信号が、第1のRATに関連付けられたプリアンブルシーケンスに対応するシンボルの第1の組、および第2のRATに関連付けられたシグネチャに対応するシンボルの第2の組を有し、受信されたプリアンブル信号内のシグネチャを識別することに少なくとも部分的に基づいて、受信されたプリアンブル信号に関連付けられた送信機デバイスが第2のRATに関連付けられていると判定するように実行可能な命令を含み得る。
【００２４】
本明細書で説明する方法、装置、または非一時的コンピュータ可読媒体のいくつかの例では、送信機デバイスが第2のRATに関連付けられていると判定することは、受信されたプリアンブル信号を、第2のRATの送信に関連付けられた第1のサンプリングレートでサンプリングするため、および受信されたプリアンブル信号を、第1のRATのプリアンブル送信に関連付けられた第2のサンプリングレートで再サンプリングするためのステップ、特徴、手段、または命令を含み得る。いくつかの例では、サンプリングおよび/または再サンプリングの後、シンボルの第1の組を識別し、および/または受信されたプリアンブル信号をシグネチャに相関させ得る。
【００２５】
本明細書で説明する方法、装置、または非一時的コンピュータ可読媒体のいくつかの例では、受信されたプリアンブル信号内のシグネチャを識別することは、受信されたプリアンブル信号と第2のRATに関連付けられたシグネチャとの周波数領域相関を実行するためのステップ、特徴、手段、または命令を含み得る。いくつかの例では、周波数領域相関を実行することは、周波数領域相関をしきい値と比較することを含み得る。追加または代替として、いくつかの例では、しきい値は、受信されたプリアンブル信号の信号対雑音比(SNR)または信号対干渉雑音比(SINR)に少なくとも部分的に基づいて決定され得る。
【００２６】
本明細書で説明する方法、装置、または非一時的コンピュータ可読媒体のいくつかの例は、相関が受信されたプリアンブル信号内のシグネチャを識別しない場合、受信されたプリアンブル信号に関連付けられた送信機デバイスが第1のRATに関連付けられていると判定するためのステップ、特徴、手段、または命令をさらに含み得る。追加または代替として、いくつかの例では、シンボルの第1の組は、ワイヤレスローカルエリアネットワーク(WLAN) RATのショートトレーニングフィールド(STF)またはロングトレーニングフィールド(LTF)の一方または両方のパイロットシンボルを含み得、受信されたプリアンブル信号に関連付けられた送信機デバイスが第2のRATに関連付けられていると判定することは、STF、LTF、またはそれらの任意の組合せにおけるシンボルの第2の組の識別に少なくとも部分的に基づき得る。
【００２７】
開示される概念および具体例は、本開示の同じ目的を実行するための他の構造を変更または設計するための基礎として容易に利用され得る。そのような等価な構造は、添付の特許請求の範囲の範囲から逸脱しない。本明細書で開示される概念の特性、それらの編成と動作の方法の両方が、添付の図とともに検討されると、関連する利点とともに以下の説明からよりよく理解されよう。図の各々は、例示および説明のために提供され、特許請求の範囲の限界を定めるものではない。
【００２８】
以下の図面の参照によって、本開示の性質および利点のさらなる理解が得られ得る。添付図面では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書で使用される場合、説明は、第2の参照ラベルにかかわらず、同じ第1の参照ラベルを有する同様の構成要素のうちのいずれにも適用可能である。
【図面の簡単な説明】
【００２９】
【図１】本開示の態様による、重畳コーディングベースのプリアンブル設計が使用され得るワイヤレス通信システムの一例を示す図である。
【図２】本開示の態様による、重畳コーディングベースのプリアンブル設計が使用され得るワイヤレス通信環境の一例を示す図である。
【図３Ａ】本開示の態様による、重畳コーディングベースのプリアンブル設計をサポートするLTEフレームの一例を示す図である。
【図３Ｂ】本開示の態様による、重畳コーディングベースのプリアンブル設計をサポートするチャネル構造の一例を示す図である。
【図４】本開示の態様による、プリアンブルの重畳コーディングについての例示的なフローチャートである。
【図５】本開示の態様による、重畳コーディングベースのプリアンブルの処理についての例示的なフローチャートである。
【図６】本開示の態様による、W-CUBSとWi-Fiプリアンブルとの比較を示すグラフである。
【図７】本開示の態様による、W-CUBSとWi-Fiプリアンブルとの相関を示すグラフである。
【図８】本開示の態様による、W-CUBSとLTE-Uシグネチャとの相関を示すグラフである。
【図９】本開示の態様による、強化されたプリアンブルについてのチャネルフェージングの影響を示す例示的な図である。
【図１０】本開示の態様による、チャネルフェージングを経験したW-CUBSについてのLTE-Uシグネチャの相関を示すグラフである。
【図１１】本開示の態様による、重畳コーディングベースのプリアンブル設計のために構成されたワイヤレスデバイスのブロック図である。
【図１２】本開示の態様による、重畳コーディングプリアンブルマネージャのブロック図である。
【図１３】本開示の態様による、重畳コーディングプリアンブルマネージャのブロック図である。
【図１４】本開示の態様による、重畳コーディングプリアンブルインタープリタのブロック図である。
【図１５】本開示の態様による、重畳コーディングプリアンブルインタープリタのブロック図である。
【図１６】本開示の態様による、重畳コーディングベースのプリアンブル設計のために構成されたUEを含むシステムの図である。
【図１７】本開示の態様による、重畳コーディングベースのプリアンブル設計のために構成された基地局を含むシステムの図である。
【図１８】本開示の態様による、プリアンブルの重畳コーディングのための方法を示すフローチャートである。
【図１９】本開示の態様による、プリアンブルの重畳コーディングのための方法を示すフローチャートである。
【図２０】本開示の態様による、重畳コーディングベースのプリアンブルを処理するための方法を示すフローチャートである。
【図２１】本開示の態様による、重畳コーディングベースのプリアンブルを処理するための方法を示すフローチャートである。
【発明を実施するための形態】
【００３０】
説明する特徴は、一般に、共有無線周波数スペクトル帯域(たとえば、無認可無線周波数スペクトル帯域、2つ以上の認可された事業者を有する認可された無線周波数スペクトル帯域、認可された無線周波数スペクトル帯域のリソースの日和見的な共有を提供する認可された無線周波数スペクトル帯域など)内のチャネル予約に使用されるプリアンブル信号の重畳コーディングのための改良されたシステム、方法、または装置に関する。一般に、セルラーネットワーク(たとえば、LTE/LTE-Aネットワークなど)の事業者は、専用の(たとえば、認可された)無線周波数スペクトル帯域において固定チャネル割当てを使用する。専用の無線周波数スペクトル帯域を使用するセルラーネットワークにおけるデータトラフィックの増加に伴い、共有無線周波数スペクトル帯域への少なくとも一部のデータトラフィックのオフロードは、セルラー事業者(たとえば、LTE/LTE-Aネットワークなどのセルラーネットワークを定義する調整された基地局の組を使用する事業者)に、データ送信容量を増強する機会を与え得る。たとえば、共有無線周波数スペクトル帯域は、専用の無線周波数スペクトル帯域内の大量のトラフィックを軽減するために、またはキャリアアグリゲーションを使用してスループットを増加させるために使用され得る。共有無線周波数スペクトル帯域(いくつかの例では、LTE-Uと呼ばれ得る)においてLTE技術を使用することは、WLAN技術(たとえば、Wi-Fiなど)を使用することよりも性能利得を提供する可能性がある。たとえば、LTEプロトコルは、よりスペクトル的に効率的な物理(PHY)層設計を利用し得る。さらに、LTEプロトコルは、複数のデバイスが無線周波数スペクトル帯域のチャネルに同時にアクセスすることを可能にする、より効率的な媒体アクセス制御(MAC)層設計を使用し得る。一方、WLANプロトコルは、デバイスが同時のチャネルを介した送信を回避する時分割多重(TDM)方式で動作し得る。
【００３１】
異なる技術間でリソースを効率的に共有する方法を決定することは、ワイヤレス通信システムに問題をもたらす可能性がある。LTE-Uデバイス(たとえば、共有無線周波数スペクトル帯域においてLTEベースのプロトコルを使用するデバイス)は、チャネルが占有されているかどうかを識別するためにクリアチャネルアセスメント(CCA)を使用し、その後、チャネルがクリアであるとき、チャネルを予約するためにプリアンブルを送信し得る。一例では、LTE-Uデバイスは、チャネルを予約するためにLTE固有のプリアンブル(たとえば、チャネル使用ビーコン信号(CUBS)など)を送信し得る。共有無線周波数スペクトル帯域において動作する他のLTE-Uデバイスは、デバイスがチャネルを予約していると判定するためにCUBSを受信し復号することができ得る。WLANデバイス(たとえば、共有無線周波数スペクトル帯域においてWLANプロトコルを使用するデバイス)も、エネルギーレベル検出を使用してCUBSを検出することができ得る。CUBSが検出された場合、WLANデバイスはチャネルをバックオフし得る。
【００３２】
いくつかの場合には、複数の無線アクセス技術は、好ましくない方法(たとえば、無線周波数スペクトル帯域の不均等な共有、シグナリングの不一致、高レベルの干渉などを有する)で共存する場合がある。たとえば、LTE-Uデバイスが、共有無線周波数スペクトル帯域のチャネルが予約されていることを送信範囲内の近隣のWLANデバイスに通知できない場合、近隣のWLANデバイスもそのチャネルの使用を試みる可能性がある。たとえば、LTE固有のプリアンブル(たとえば、CUBSなど)がエネルギー検出を使用するWLANデバイスによってのみ検出可能である場合、そのようなプリアンブルの検出の範囲は、有害な干渉を防止するために望まれるよりも小さい可能性がある。
【００３３】
本開示の様々な態様によれば、LTE-Uデバイスは、共有無線周波数スペクトル帯域のチャネルのリソースを利用する前に、拡張WLANプリアンブル(たとえば、CUBSの機能も実行するWLANプリアンブルを含むプリアンブル信号を指し得るW-CUBSなど)を送信し得る。W-CUBSは、共有無線周波数スペクトル帯域上でWLANデバイスとより良好に共存する能力をLTE-Uデバイスに提供し得、既存の規格(たとえば、IEEE802.11規格など)に準拠し得る。たとえば、W-CUBSなどの有効なWLANプリアンブルのプリアンブル検出レベルは、非準拠のプリアンブルのエネルギー検出レベルよりもかなり低い可能性がある(たとえば、プリアンブル検出レベルは-90dBmであり、エネルギー検出レベルは-62dBmであり得る)。いくつかの例では、W-CUBSは、40MHzのサンプリング周波数を有するWi-Fi直交周波数分割多重(OFDM)構造に基づき得、3つのプリアンブルフィールドおよび1つのCTS-to-Selfフィールドを含み得る。W-CUBSは、他のLTEベースの信号で処理されるように30.72MHzで再サンプリングされ、LTE-Uデバイスが正常なCCAまたは拡張CCA(eCCA)を実行した後にスケジュールされ得る。W-CUBSの周波数構造のため、(たとえば、WLANデバイスによる)プリアンブル検出またはデータ復調のために40MHzで受信および/または再サンプリングされ得る。
【００３４】
LTE-Uデバイスは、W-CUBSを、WLANデバイスから送られたWLANプリアンブルと区別するように構成され得る。拡張WLANプリアンブルは、重畳されたLTE-Uシグネチャを含み得、重畳されたLTE-Uシグネチャは、他のLTE-Uデバイスによって識別可能な任意のシグネチャであり得る。いくつかの場合には、W-CUBSは、Wi-Fiプリアンブル(たとえば、Wi-Fiプリアンブル波形、Wi-Fiプリアンブルシンボルの組など)とLTE-Uシグネチャ(たとえば、LTE-Uシグネチャ波形、LTE-Uシグネチャシンボルの組など)の重畳を含み得る。
【００３５】
LTE-Uシグネチャは、たとえば、Chuシーケンス、擬似ランダムノイズ(PN)シーケンス、または他のシーケンスなどの特定のシーケンスを含み得る。LTE-Uシグネチャは、複雑さまたは相関特性を向上させるために選択され得る。いくつかの例では、各LTE-Uデバイスは、同じシグネチャ(たとえば、同じシーケンスなど)を使用し得る。他の例では、各LTE-Uデバイスは、他のLTE-Uデバイスから独立してあらかじめ定義されたシグネチャの組からシグネチャを選択し得る。いくつかの例では、LTE-Uデバイスは、デバイスID、リリースバージョン、電力クラス、送信長さなどの情報を伝えるためにLTE-Uシグネチャを選択し得る。LTE-Uシグネチャは、LTE-Uシグネチャの結合検出を可能にするために、STF、LTF、またはその両方に埋め込まれ得る。いくつかの例では、LTE-Uシグネチャは、検出可能性を向上させるために、W-SIGと呼ばれ得る拡張WLANプリアンブルフィールドに埋め込まれてもよい。いくつかの例では、埋込みは、WLANプリアンブルによる不適切な検出および/または干渉の可能性を低減するように構成され得、いくつかの例では、シグネチャは、シグネチャの検出の可能性を高めるように選択され得る。
【００３６】
WLANプリアンブルは、LTEベースのプロトコル(たとえば、15kHz)によって使用されるサブキャリア間隔よりもかなり大きいサブキャリア間隔(たとえば、312.5kHz)を使用し得る。これによって、LTE-Uデバイスは、WLANプリアンブル内のパイロットと干渉しない間隙のサブキャリアを使用して送信することができ得る。さらに、LTE-Uシグネチャは、WLANパイロットとの直交性を維持するために、またはスペクトルマスク要求および/またはゼロ周波数もしくは中心周波数サブキャリアの回避など他の制約を満たすために選択され得る。
【００３７】
以下の説明は、例を提供し、特許請求の範囲に記載の範囲、適用性、または例を限定するものではない。説明する要素の機能および構成において、本開示の範囲から逸脱することなく変更が加えられ得る。様々な例は、必要に応じて、様々な手順または構成要素を省略、置換、または追加することができる。たとえば、説明する方法は、説明する順序とは異なる順序で実行されてもよく、様々なステップが追加、省略、または組み合わされてもよい。また、いくつかの例に関して説明する特徴は、他の例において組み合わされ得る。
【００３８】
図1は、本開示の態様による、重畳コーディングベースのプリアンブル設計が使用され得るワイヤレス通信システム100の一例を示す。ワイヤレス通信システム100は、基地局105、少なくとも1つのUE115、およびコアネットワーク130を含む。コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースする。基地局105は、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X1など)を介して、直接的にまたは間接的に(たとえば、コアネットワーク130を通じて)のいずれかで、互いと通信し得る。
【００３９】
基地局105は、1つまたは複数の基地局アンテナを介して、UE115とワイヤレス通信することができる。基地局105の各々は、それぞれの地理的カバレージエリア110に通信カバレージを提供し得る。いくつかの例では、基地局105は、トランシーバ基地局、無線基地局、アクセスポイント、無線送受信機、NodeB、eNodeB(eNB)、ホームNodeB、ホームeNodeB、または何らかの他の適切な用語で呼ばれることがある。基地局105の地理的カバレッジエリア110は、カバレッジエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレッジエリア110があり得る。
【００４０】
いくつかの例では、ワイヤレス通信システム100のデバイスは、LTEまたはLTE-Advanced(LTE-A)技術によるプロトコルを使用し得る。LTEまたはLTE-Aネットワークでは、発展型ノードB(eNB)という用語は、一般に基地局105を表すために使用され得る一方、UEという用語は、一般にUE115を表すために使用され得る。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【００４１】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較すると、マクロセルと同じまたはマクロセルとは異なる(たとえば、認可、無認可などの)周波数帯域で動作し得る低電力基地局である。スモールセルは、様々な例に従って、ピコセル、フェムトセル、およびマイクロセルを含み得る。ピコセルは、たとえば、小さい地理的エリアをカバーすることができ、ネットワークプロバイダのサービスに加入しているUE115による無制限アクセスを許容し得る。フェムトセルも、小さい地理的エリア(たとえば、自宅)をカバーすることができ、フェムトセルとの関連性を有するUE115(たとえば、限定加入者グループ(CSG)中のUE115、自宅内のユーザのためのUE115など)による制限されたアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００４２】
ワイヤレス通信システム100は、同期動作または非同期動作をサポートし得る。同期動作の場合、基地局105は、同様のフレームタイミングを有し得、異なる基地局105からの送信は、時間的にほぼ整合され得る。非同期動作の場合、基地局105は、異なるフレームタイミングを有し得、異なる基地局105からの送信は、時間的に整合されないことがある。本明細書で説明する技法は、同期動作または非同期動作のいずれかに使用され得る。
【００４３】
様々な開示する例のいくつかに適応し得る通信ネットワークは、階層化プロトコルスタックに従って動作するパケットベースネットワークであり得、ユーザプレーンにおけるデータは、IPに基づき得る。無線リンク制御(RLC)レイヤは、論理チャネルを介して通信するために、パケットのセグメンテーションおよびリアセンブリを実行し得る。媒体アクセス制御(MAC)レイヤは、優先度処理および論理チャネルのトランスポートチャネルへの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤは、UE115と基地局105との間のRRC接続の確立、構成、および維持を提供し得る。RRCプロトコルレイヤはまた、ユーザプレーンデータのための無線ベアラのコアネットワーク130サポートに使用され得る。PHY層では、トランスポートチャネルは、物理チャネルにマッピングされ得る。
【００４４】
UE115は、ワイヤレス通信システム100全体にわたって分散され得、各UE115は固定または移動であり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むことがあり、または当業者によってそのように呼ばれることがある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局などであり得る。UEは、マクロeNB、スモールセルeNB、中継基地局などを含む、様々なタイプの基地局およびネットワーク機器と通信することが可能であり得る。
【００４５】
ワイヤレス通信システム100に示される通信リンク125は、UE115から基地局105へのアップリンク(UL)送信、または基地局105からUE115へのダウンリンク(DL)送信を含み得る。ダウンリンク送信は順方向リンク送信とも呼ばれ得、一方、アップリンク送信は逆方向リンク送信とも呼ばれ得る。各通信リンク125は、1つまたは複数のキャリアを含んでよく、各キャリアは、上記で説明した様々な無線技術に従って変調される複数のサブキャリア(たとえば、異なる周波数の波形信号)から構成される信号であり得る。各被変調信号は、異なるサブキャリア上で送られ得、制御情報(たとえば、基準信号、制御チャネルなど)、オーバーヘッド情報、ユーザデータなどを搬送することができる。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信することができる。FDD(たとえば、フレーム構造タイプ1)およびTDD(たとえば、フレーム構造タイプ2)に対するフレーム構造が、定義され得る。
【００４６】
ワイヤレス通信システム100のいくつかの例では、基地局105またはUE115は、基地局105とUE115との間の通信品質および信頼性を改善するために、アンテナダイバーシティ方式を利用するための複数のアンテナを含み得る。追加または代替として、基地局105またはUE115は、同じまたは異なるコード化データを搬送する複数の空間レイヤを送信するためにマルチパス環境を利用し得る、多入力多出力(MIMO)技法を採用し得る。
【００４７】
ワイヤレス通信システム100は、キャリアアグリゲーション(CA)またはマルチキャリア動作と呼ばれ得る特徴である、複数のセルまたはキャリア上の動作をサポートし得る。キャリアは、コンポーネントキャリア(CC)、層、チャネルなどと呼ばれることもある。「キャリア」、「コンポーネントキャリア」、「セル」、および「チャネル」という用語は、本明細書で互換的に使用され得る。UE115は、キャリアアグリゲーションのための複数のダウンリンクCCおよび1つまたは複数のアップリンクCCとともに構成され得る。キャリアアグリゲーションは、FDDコンポーネントキャリアとTDDコンポーネントキャリアの両方とともに構成され得る。
【００４８】
いくつかの例では、ワイヤレス通信システム100のいくつかのデバイスは、第1の無線アクセス技術(たとえば、WLAN技術、Wi-Fiなど)に従って動作し得るが、第2の無線アクセス技術(たとえば、LTEベースのセルラー無線アクセス技術に従って動作するワイヤレスワイドエリアネットワーク(WWAN)など)に従って動作する1つまたは複数のネットワークまたはノードの存在下で動作し得る。例として、図1は、Wi-Fiステーション(STA)155と通信するWi-Fiアクセスポイント(AP)150からなるネットワークを示す。いくつかの例では、UE115または基地局105は、AP150およびSTA155などのWi-Fiデバイスによって使用される帯域のような共有無線周波数スペクトル帯域においてLTEプロトコルを使用する動作をサポートし得る。STA155および/またはAP150は、認可周波数帯域における動作のためにLTEプロトコルをサポートし得るが、共有無線周波数スペクトル帯域におけるLTEベースのプロトコル動作のために構成されていない可能性があるWi-Fiデバイスであり得る。明快さのために、共有無線周波数スペクトル帯域においてLTEベースのプロトコルに従って動作することができるデバイスは、基地局105またはUE115と呼ばれ得、共有無線周波数スペクトル帯域においてLTEベースのプロトコルに従って動作することができないデバイスは、(たとえば、それらが認可周波数帯域においてLTEをサポートするか否かにかかわらず)AP150またはSTA155と呼ばれ得る。
【００４９】
いくつかの場合には、共有無線周波数スペクトル帯域は、デバイスメーカ間の規制または合意により、各チャネルがあらかじめ定義された帯域幅(たとえば、20MHzなど)を有し得る複数のチャネルに分割され得る。共有チャネル(たとえば、共有無線周波数スペクトル帯域のチャネル)を介して送信する前に、基地局105またはUE115は、CCA手順を実行して、共有チャネルが利用可能であるかどうかを判定し得る。基地局105またはUE115は、チャネルが利用可能であると判定した場合、チャネルを予約するためにプリアンブル信号を送信し得る。LTEベースのプロトコル(たとえば、CUBSなど)に従ってLTE-Uデバイスによって送信されるプリアンブル信号は、WLANデバイスとの共存に影響を及ぼし得、WLANプロトコルに従って送信されるプリアンブル信号は、LTE-Uデバイスがリソースを共有する機会が低減するという犠牲を払って、WLANデバイスとのより良好な共存を提供し得る。
【００５０】
基地局105またはUE115を含むワイヤレス通信システム100のデバイスは、WLANプリアンブルとして他のWLANデバイスによって検出可能な拡張WLANプリアンブル(たとえば、W-CUBS)を送信するとともに、LTE-Uデバイスが送信を別のLTE-Uデバイスからのものと識別するために検出し得るLTE-Uシグネチャも伝達し得る。いくつかの例では、W-CUBSは、LTE-UシグネチャとWLANプリアンブルとの重畳を含み得、(たとえば、間隙の周波数リソースへの周波数マッピングなどによって)WLANプリアンブルへの、低い、またはさもなければ許容可能な干渉(たとえば、LTE-UシグネチャとWLANプリアンブルとの間の推定された干渉がしきい値を下回るなど)のために構成され得る。STA155またはAP150は、WLANプリアンブルを含むW-CUBSを受信し、(たとえば、WLANプロトコルに従って)媒体についての競合手順からバックオフし得る。UE115は、WLANプリアンブルを含むW-CUBSを受信し、LTE-UシグネチャがWLANプリアンブルと重畳されているかどうかを判定するためにW-CUBSをさらに処理し得る。UE115は、LTE-Uシグネチャを含まないSTA155またはAP150から送られたWLANプリアンブルから、UE115または基地局から送られたW-CUBSを区別するために、LTE-Uシグネチャを使用し得る。
【００５１】
図2は、本開示の態様による、重畳コーディングベースのプリアンブル設計が使用され得るワイヤレス通信環境200の一例を示す。基地局105-a、UE115-a、およびUE115-bは、通信リンク205を介して専用無線周波数スペクトル帯域、共有無線周波数スペクトル帯域、またはその両方を使用して互いに通信し得る。AP150-a、STA155-a、およびSTA155-bは、WLAN通信リンク210を介して共有無線周波数スペクトル帯域を使用して互いに通信し得る。一例では、UE115-a、UE115-b、および基地局105-aは、LTE-U対応デバイスであり得、STA155-a、STA155-b、およびAP150-aは、Wi-Fiデバイスであり得る。
【００５２】
UE115-aは、通信リンク205を介して、専用および共有の無線周波数スペクトル帯域の一方または両方を使用して動作し得る。UE115-aは、共有無線周波数スペクトル帯域が他の送信デバイスによって占有されているかどうかを判定するためにCCAを実行し得る。上記で説明したように、LTE固有のプリアンブル(たとえば、CUBS)の使用は、LTEベースのプロトコルを使用するデバイスと共有無線周波数スペクトル帯域を使用するWLANベースのプロトコルを使用するデバイスとの共存についての好ましくない干渉を低減する際にワイヤレス通信環境200において有効ではない可能性がある。
【００５３】
共有無線周波数スペクトル帯域においてLTE固有のプリアンブルを使用するときに生じる可能性がある問題に対処するために、UE115-aなどのLTE-Uデバイスは、有効なWLANプリアンブルとしてWLANデバイスによって検出可能な拡張WLANプリアンブル(たとえば、W-CUBS)を送信し、また、LTE-Uシグネチャを伝達し得る。W-CUBSの送信は、たとえば、共有チャネル上の正常なCCAに続き得る。いくつかの場合において、W-CUBSは、WLANプリアンブルおよび埋め込まれたLTE-Uシグネチャを含み得る。UE115-a、UE115-b、基地局105-a、STA155-a、STA155-b、およびAP150-aは各々、W-CUBSのWLANプリアンブルを受信し、復号することができ得、一方、W-CUBSのLTE-Uシグネチャは、LTE-Uデバイス(たとえば、UE115-a、UE115-b、基地局105-aなど)によって検出され得る。いくつかの例では、W-CUBSは、LTE-UシグネチャとWLANプリアンブルとの重畳を含み得る。
【００５４】
いくつかの例では、WLANプリアンブルを受信し、復号するためにWLANデバイスによって使用される回路は、チャネル上の送信を検出するために使用されるエネルギー検出回路よりも敏感であり得る。そのような例では、STA155-aを含む他のLTE-Uデバイスおよび他のWLANデバイスは、W-CUBS内の有効なWLANプリアンブルを受信し、復号し、ある時間期間、共有チャネルへのアクセスをバックオフし得る。バックオフに加えて、UE115-bまたは基地局105-aは、重畳されたLTE-Uシグネチャを検出するためにW-CUBSをさらに処理し得る。LTE-Uシグネチャは、W-CUBSが別のLTE-Uデバイスによって送信されていることをUE115-bおよび基地局105-aに通知するために使用され得る。いくつかの場合には、LTE-Uシグネチャは、デバイスID、リリースバージョン、送信長さ、電力クラス、セルID、パブリックランドモバイルネットワーク(PLMN)ID、チャネル番号などのLTE固有の情報を含む、または示し得る。LTE-Uシグネチャを検出することによって、UE115-bは、LTEベースのプロトコルに関連付けられた様々な技術に従って、UE115-aと共有無線周波数スペクトル帯域に同時にアクセスすることができる。
【００５５】
図3Aは、本開示の態様による、重畳コーディングベースのプリアンブル設計をサポートするLTEフレーム300-aのブロック図を示す。LTEフレーム300-aは、W-STFフィールド325、W-LTFフィールド330、W-SIGフィールド315、およびペイロードフィールド320を含み得る。LTE-Uシグネチャは、たとえば、W-STFフィールド325およびW-LTFフィールド330を含む領域305に埋め込まれ得る。領域305は、LTEフレーム300-aのW-CUBSに対応し得る。ただし、いくつかの場合には、W-CUBSは、他のフィールドを含み得る。
【００５６】
W-STFフィールド325は、12個のサブキャリアを利用するWLANプリアンブル(たとえば、Wi-Fiプリアンブル)を含み、時間的に8μs持続し得る。W-STFフィールド325は、8μsの周期を有するショートトレーニングシンボルを反復し得、時間領域における相関のためにシンボルを使用し得る。W-STFフィールド325は、パケット検出のためにWLANデバイスによって使用され得る。W-STFフィールド325は、LTE-Uシグネチャの重畳をさらに含み得る。LTE-Uシグネチャは、ショートトレーニングシンボルとLTE-Uシグネチャシンボルとの間の干渉が最小化されるように、またはそうでなければ許容可能なしきい値を下回る(たとえば、LTE-Uシグネチャとショートトレーニングシンボルとの間の推定された干渉が最大しきい値を下回るなど)ようにW-STFフィールド325に埋め込まれ得る。いくつかの場合において、LTEプロトコルを使用する送信は、ショートトレーニングシンボルに使用されるサブキャリア間隔よりも厳密なサブキャリア間隔を使用し得る。したがって、LTE-Uシグネチャシンボルによって使用されるサブキャリアは、STFシンボルによって使用されるサブキャリアと重ならない可能性がある。
【００５７】
W-LTFフィールド330は、最大52個のサブキャリアを利用するWLANプリアンブルを含み、同じく、時間的に8μs持続し得る。W-LTFフィールド330は、1.6μsのサイクリックプレフィックスが付加された2つの3.2μsのロングトレーニングシンボルを使用し得る。W-LTFフィールド330のWLANプリアンブルは、チャネル予約のために使用されてもよく、また、周波数オフセットおよびチャネル推定値を決定するために使用されてもよい。W-LTFフィールド330は、LTE-Uシグネチャの重畳をさらに含み得る。LTE-Uシグネチャは、ロングトレーニングシンボルとLTE-Uシグネチャシンボルとの間の干渉が最小限に抑えられるようなやり方で、またはさもなければ許容可能なしきい値を下回るように、W-LTFフィールド330に埋め込まれ得る。いくつかの場合には、LTEベースのプロトコルを使用する送信は、ロングトレーニングシンボルに使用されるサブキャリア間隔よりも密なサブキャリア間隔を使用し得、LTE-Uシグネチャシンボルによって使用されるサブキャリアは、LTFシンボルによって使用されるサブキャリアと重ならない可能性がある。
【００５８】
W-SIGフィールド315は、24の情報ビットから構成され得、合計4μs持続するために3.2μsのシンボルおよび0.8μsのサイクリックプレフィックスを含み得る。W-SIGフィールド315は、52個のサブキャリアを使用し得、そのうち48個はコード化ビット用であり、4個はパイロット信号用である。W-SIGフィールド315は、変調およびコーディング方式(MCS)および通信されるべきデータの長さを通信することによって受信機を構成するために使用され得る。W-SIGフィールド315は、データフィールドが復号される前にエンコーダおよびデコーダをフラッシュするためのパリティビットおよびテールビットも含み得る。いくつかの例では、検出の可能性を向上させるために、W-STFフィールド325またはW-LTFフィールドに含まれるLTE-Uシグネチャは、本明細書で説明するように、重畳によるLTE-Uシグネチャの包含など、W-SIGフィールド315において反復され得る。
【００５９】
ペイロードフィールド320は、データまたは制御情報を通信するために使用され得る。たとえば、CTS-to-Selfフレームがペイロードフィールド320に含まれ得る。CTS-to-Selfフレームは、LTEフレーム300-aの範囲内のWLANプロトコルを使用するデバイスをチャネルのバックオフに導き得る(たとえば、ある時間期間、アクセスについて競合し続けることはない)。図3Aを参照して説明したフィールドは、WLANプロトコルと互換性があり得、有効なWLANプリアンブルまたは制御フレームとして解釈され得る。したがって、WLANプロトコルを使用するデバイスは、LTEフレーム300-aの様々なフィールドを受信し、復号し、それに応じて動作を調整し得る。
【００６０】
図3Bは、本開示の態様による、重畳コーディングベースのプリアンブル設計をサポートするチャネル構造300-bの一例を示す。チャネル構造300-bは、図3Aを参照しながら説明したW-STFフィールド325およびW-LTFフィールド330の周波数領域表現であり得るW-STFフィールド325-aおよびW-LTFフィールド330-aを含み得る。W-STFフィールド325-aは、STFパイロット335およびLTE-Uシグネチャパイロットの第1の組340を含み得、W-LTFフィールド330-aは、LTFパイロット345およびLTE-Uシグネチャパイロットの第2の組350を含み得る。LTE-Uシグネチャパイロットの第1の組340および/またはLTE-Uシグネチャパイロットの第2の組350は、LTE-Uシグネチャに関連付けられ、STFパイロット335およびLTFパイロット345は、有効なWLANプリアンブルに関連付けられ得る。チャネル構造300-bは、W-CUBSの周波数領域表現の一例であり得る。
【００６１】
チャネル構造300-bは、たとえば、12個のサブキャリアをSTFパイロット335に割り振り、52個のキャリアをLTFパイロット345に割り振り得る。STFパイロット335およびLTFパイロット345によって使用されるサブキャリア間隔(たとえば、Wi-Fiプロトコルによる、312.5kHzなど)は、LTEプロトコルによって使用されるサブキャリア間隔(たとえば、15kHz)よりもかなり広い可能性がある。これによって、LTE-Uデバイスは、STFパイロット335またはLTFパイロット345のために選択されたサブキャリアと重ならない間隔で、LTE-Uシグネチャパイロットの第1の組340およびLTE-Uシグネチャパイロットの第2の組350のサブキャリアを選択することができる。したがって、LTE-Uシグネチャパイロットの第1の組340およびLTE-Uシグネチャパイロットの第2の組350は、それぞれSTFパイロット335およびLTFパイロット345に埋め込まれ得る。いくつかの場合には、LTE-Uシグネチャパイロットの第1の組340はW-STFフィールド325-aに含まれ得る、またはLTE-Uシグネチャパイロットの第2の組350はW-LTFフィールドに含まれ得る。他の例では、LTE-Uシグネチャパイロットの第1の組340はW-STFフィールド325-aに含まれ得、さらにLTE-Uシグネチャパイロットの第2の組350はW-LTFフィールド330-aに含まれ得、これによって、LTEプロトコルを使用する受信機は、LTE-Uシグネチャシーケンス(たとえば、LTE-Uシグネチャパイロットの第1の組340およびLTE-Uシグネチャパイロットの第2の組350)を共同で検出して、誤ったアラーム表示を低減し、検出の確率を向上することができ得る。
【００６２】
LTE-Uシグネチャは、STFパイロット335およびLTFパイロット345に関連付けられた周波数分解能に基づいて選択され得る。たとえば、W-STFフィールド325-aおよびW-LTFフィールド330-aは各々、時間的に最高8μsまで持続し得る。これは、以下によって制限された周波数分解能を提供し得る。
【００６３】
【数１】
0006408716.tif 000002
【００６４】
8μs以内に取られ得るサンプル数Nは、次の式によって決定され得る。
【００６５】
【数２】
0006408716.tif 000003
【００６６】
WLANデバイスは、サンプリング周波数fs=40MHzでサンプリングし得、サンプルの最大数Nは、320に等しくなり得る。いくつかの場合には、サイズN=256の高速フーリエ変換(FFT)が使用され得、周波数分解能はΔf=156.2kHzであり得、これは、WLANプロトコルに関連付けられた周波数分解能の半分であり得る。したがって、LTE-Uシグネチャパイロットの第1の組340およびLTE-Uシグネチャパイロットの第2の組350は、156.2kHz間隔で配置されたサブキャリアにわたって広がり得、いくつかの例では、STFパイロット335およびLTFパイロット345に割り振られた周波数上では送信されない場合がある。LTE-Uシグネチャパイロットの第1の組340および/またはLTE-Uシグネチャパイロットの第2の組350に使用されるサブキャリアに使用される間隔は、STFパイロット335およびLTFパイロット345に対する直交性を保ち得る。LTE-Uシグネチャパイロットを送信するために使用されるサブキャリアの間隔は、平坦で広いスペクトルを維持するために、擬似雑音の特性も保ち得、また、自己相関のピークおよび谷も生成し得る。さらに、LTE-Uシグネチャは、スペクトルマスク要求および/またはゼロ周波数もしくは中心周波数サブキャリアの回避など他の制約を満たすように選択され得る。
【００６７】
図4は、本開示の態様による、プリアンブルの重畳コーディングについての例示的なフローチャート400を示す。フローチャート400は、重畳コーディングの態様を示し得、図1および図2を参照しながら上記で説明したように、UE115または基地局105において実施され得る。いくつかの例では、UE115または基地局105などのデバイスは、埋め込まれたLTE-Uシグネチャを含む拡張WLANプリアンブルを生成し、プリアンブルを他のフィールドと多重化してW-CUBS信号を構築し得る。
【００６８】
デバイスは、(たとえば、Wi-Fi STFパイロットシンボルなど)WLANプリアンブルのSTFパイロットシンボルに対応するシンボルの第1の組430を生成し得る。デバイスは、第1のLTE-Uシグネチャに対応するシンボルの第2の組425も生成し得る。同様に、デバイスは、(たとえば、Wi-Fi LTFパイロットシンボルなど)WLANプリアンブルのLTFパイロットシンボルに対応するシンボルの第3の組445を生成し得る。デバイスは、第1のLTE-Uシグネチャと同じであっても異なってもよい第2のLTE-Uシグネチャに対応するシンボルの第4の組450も生成し得る。
【００６９】
LTE-Uシグネチャシーケンス(たとえば、第1のLTE-Uシグネチャシーケンスおよび/または第2のLTE-Uシグネチャシーケンスなど)は、たとえば、PNシーケンス、Chuシーケンス、または他のシーケンスであり得る。いくつかの例では、LTE-Uシグネチャシーケンスは、93の長さを有し得る。LTE-Uシグネチャは、互いとの低い相互相関を有するあらかじめ定義されたシグネチャの組から選択され得る。いくつかの例では、シグネチャは、LTEデバイス識別子、セル識別子、サポートされたLTEリリースバージョン、送信機デバイスの電力クラス、送信長さ、PLMN識別子、チャネル番号、またはそれらの任意の組合せの指示に基づいて選択される、および／またはそれを含む。
【００７０】
シンボルの第2の組425は、第1のスケーリングされたLTE-Uシグネチャシーケンス460を形成するために、利得要素405を使用して利得比Gsに従ってスケーリングされ得る。スケーリングファクタは、あらかじめ決定されていてもよく、またはいくつかの場合には、チャネル状態などの関連する要因に基づいて動的に決定されてもよい。いくつかの場合には、シンボルの第2の組425は、シンボルの第1の組430よりも大きさがかなり小さくなるようにスケーリングされ得る。いくつかの場合には、スケーリングファクタは、WLANプリアンブルのSTFの大きさに基づき得る。利得比Gsの適用によって、第1のスケーリングされたLTE-Uシグネチャシーケンス460がシンボルの第1の組430よりも低い電力で送信され得、これは、いくつかの例では、第1のスケーリングされたLTE-Uシグネチャシーケンス460の送信とシンボルの第1の組430の送信との間の干渉を低減し得る。同様に、シンボルの第4の組450は、第2のスケーリングされたLTE-Uシグネチャシーケンス465を形成するために、利得要素455を使用して利得比G1に従ってスケーリングされ得る。
【００７１】
第1のスケーリングされたLTE-Uシグネチャシーケンス460およびシンボルの第1の組430は、周波数パディング435も含み得る逆高速フーリエ変換(IFFT)410の周波数の第1の組にマッピングされ得る。周波数パディング435は、IFFT410の分解能を向上させるために、ゼロ周波数または中心周波数サブキャリアならびにより高い周波数で使用され得る。いくつかの場合には、第1のスケーリングされたLTE-Uシグネチャシーケンス460は、シンボルの第1の組430に使用されるサブキャリア間隔よりもかなり小さいサブキャリア間隔(たとえば、2分の1など)を使用し得る。周波数マッピングの間、第1のスケーリングされたLTE-Uシグネチャシーケンス460は、シンボルの第1の組430に埋め込まれ得る。次いで、IFFT410は、W-STF470の時間領域バージョンを生成するために、マッピングされた周波数シンボル上で実行され得る。いくつかの場合には、IFFT410は、256のサイズであり得る(たとえば、256個のサブキャリアの情報などを受け入れる)。同様に、第2のスケーリングされたLTE-Uシグネチャシーケンス465およびシンボルの第3の組445は、W-LTF475の時間領域バージョンを生成するために、IFFT480の周波数の第2の組にマッピングされ得る。IFFT410と同様に、IFFT480は、周波数パディング(たとえば、周波数パディング440)も含み得る。W-STF470とW-LTF475の両方を生成することによって、WLANプロトコルとLTEプロトコルの両方による結合検出が可能になり、W-CUBSを確実に識別するデバイスの能力が向上する可能性がある。フローチャート400は、STFパイロットとLTFパイロットの両方へのLTEシーケンスの埋込みを示すが、いくつかの例では、デバイスは、STFパイロットまたはLTFパイロットのいずれかにLTE-Uシグネチャシーケンスを埋め込み、それぞれ、W-STF470またはW-LTF475のうちの一方のみを形成し得る(たとえば、STFおよびW-LTFを形成する、またはW-STFおよびLTFを形成するなど)。
【００７２】
処理されたW-STF490を提供するためにW-STF470上で時間領域処理415が実行され得、処理されたW-LTF495を提供するためにW-LTF上で時間領域処理485が実行され得る。いくつかの場合には、時間領域処理415または時間領域処理485は、W-STF470またはW-LTF475の波形にサイクリックプレフィックスおよび/またはパルス整形をそれぞれ追加することを含み得る。したがって、処理されたW-STF490は、整形されたW-STFであってもよく、処理されたW-LTF495は、整形されたW-LTFであってもよい。処理されたW-STF490および処理されたW-LTF495は、その後、W-CUBSプリアンブルを生成するために、結合ユニット420において結合され得る。いくつかの例では、処理されたW-LTF495は、結合ユニット420によって処理されたW-STF490の端部に追加され得る。いくつかの例では、結合ユニット420は、波形間に滑らかな遷移が存在するように、処理されたW-STF490と処理されたW-LTF495の波形を結合し得る。また、処理されたW-STF490および処理されたW-LTF495は、W-CUBSを構築するために、L-SIGフィールドおよび/またはCTS-to-Selfフィールドと多重化され得る。W-CUBSは、送信前にLTEベースの送信に関連付けられたサンプリング周波数にダウンサンプリングされ得る。いくつかの例では、LTEサンプリング周波数は、Wi-Fi送信に関連付けられたサンプリング周波数とは異なり得る(たとえば、より低いなど)。
【００７３】
W-CUBSは、共有無線周波数スペクトル帯域の周波数チャネルを介して送信され得る。W-CUBSの送信電力は、WLANプリアンブルシーケンスについてのあらかじめ定義された送信電力レベルに基づき得る。たとえば、Wi-Fiプリアンブル(たとえば、STF)に関連付けられたシンボルの組と、LTE-Uシグネチャに関連付けられたシンボルの組との結合された電力レベルは、WLANプリアンブルの電力レベルに相当し得る。いくつかの例では、W-CUBSを送信するための電力レベルは、WLANプロトコルを使用するデバイスとのW-CUBSの互換性を向上させるために、WLANプリアンブルを送信することに関連付けられた電力レベルに類似し得る。
【００７４】
図5は、本開示の態様による、重畳コーディングベースのプリアンブルの処理についての例示的なフローチャート500を示す。フローチャート500は、図1および図2を参照しながら上記で説明したように、UE115または基地局105などのデバイスによって実行され得る。いくつかの例では、デバイスは、受信されたW-CUBSを処理し、そうでなければWLANプロトコルに従って送信され得るプリアンブルからW-CUBSを区別するために、フローチャート500のステップを実行し得る。
【００７５】
ブロック505で、デバイスは、受信されたプリアンブルに関連付けられたデバイスメモリにおける探索ウィンドウを決定し得る。次いで、デバイスは、受信されたプリアンブル信号に関連付けられた記憶されたサンプルを取り出すために、そのメモリにアクセスし得る。いくつかの例では、デバイスは、決定された探索ウィンドウからサンプルのサブセットを処理し得る。たとえば、デバイスは、探索ウィンドウ内の受信されたプリアンブルに関連付けられた最高256個までのサンプルを識別し得、受信されたプリアンブルの最初の256個のサンプルで開始し得る。いくつかの場合には、処理されたサンプルは、W-STFおよび/またはW-LTFに対応し得る。いくつかの例では、受信されたプリアンブルを処理することは、受信されたプリアンブルと1つまたは複数のLTE-Uシグネチャとの周波数領域の相関を実行することを含む。
【００７６】
たとえば、デバイスは、ブロック510でサンプルを時間領域から周波数領域に変換するために、受信されたプリアンブル信号に関連付けられたサンプルにおいてFFTを実行し得る。いくつかの例では、FFTは、256の周波数に関連付けられた信号の大きさを提供するために、サイズ256であり、いくつかの例では、送信に使用される256のサブキャリアに対応し得る。ブロック510におけるFFTプロセスの出力は、W-STFにおけるLTE-Uシグネチャの相関のためにブロック515に、またはW-LTFにおけるLTE-Uシグネチャの相関のためにブロック520に提供され得る。
【００７７】
たとえば、ブロック515において、変換されたサンプルは、W-STFについて予想されるLTE-Uシグネチャと相関され得る。同様に、ブロック520において、変換されたサンプルは、W-LTFについて予期されるLTE-Uシグネチャと相関され得る。
【００７８】
ブロック525および530において、デバイスは、相関されたLTE-Uシグネチャをしきい値と比較し得る。その後、ブロック535において、デバイスは、比較に基づいてLTE-Uシグネチャが検出されたかどうかを判定し得る。いくつかの場合には、ブロック525またはブロック530のいずれかまたは両方が肯定的結果をもたらす場合、デバイスは、ブロック535において、LTE-Uシグネチャが検出されたと判定し得る。LTE-Uシグネチャが検出されたとデバイスが判定した場合、受信されたプリアンブルをW-CUBS信号としてフラグを立て得る。いくつかの例では、しきい値は、受信されたプリアンブル信号の信号対雑音比(SNR)または信号対干渉雑音比(SINR)に少なくとも部分的に基づいて決定され得る。複数のプリアンブルフィールドについての相関回路を独立して含むように示されているが、デバイスは、いくつかの場合には、1つまたは複数のフィールド(たとえば、ブロック515および525またはブロック520および530)の相関を実行し得る回路を1組のみ含み得る。デバイスがLTE-Uシグネチャを検出しない場合、デバイスはブロック540に進み得る。
【００７９】
ブロック540において、デバイスは、処理されたサンプルが割り振られた探索ウィンドウを超えるかどうかを判定し得る。サンプルの組が探索ウィンドウを超えない場合、デバイスはメモリ内のポインタを増分し、サンプルの次の組を取り得る(たとえば、ブロック505に戻る)。そうでない場合、デバイスは、サンプルが探索ウィンドウを超えると判定した場合、デバイスは、受信されたプリアンブルがLTEプロトコルを使用していないデバイスによって送信されたWLANプリアンブルであると判定し得る。
【００８０】
フローチャート500によって示されるステップは、UE115または基地局105などのLTEベースのプロトコルを使用するデバイスによって実行されるものとして説明されているが、他の例では、図1および図2を参照しながら説明したように、たとえば、AP150またはSTA155など、WLANプロトコルを使用するデバイスによって実行され得る。たとえば、AP150またはSTA155は、受信されたプリアンブルがLTE-UデバイスまたはWLANデバイスから送られたかどうかを識別するために、フローチャート500のステップを実行し得る。AP150またはSTA155は、決定に応答して様々なステップをとるために、デバイスのタイプの決定(たとえば、プリアンブルを送信するデバイスによって使用されるプロトコルの決定など)を使用し得る。たとえば、AP150またはSTA155は、受信されたプリアンブルがLTE-Uデバイスによって送信されたことを決定し、その決定を使用してLTE-Uデバイスからの通信のさらなる処理を回避するために、フローチャート500のステップを実行し得る。
【００８１】
図6は、本開示の態様による、W-CUBSとWi-Fiプリアンブルとの比較を示すグラフ600を示す。グラフ600は、W-CUBS波形とWi-Fiプリアンブルとの間の類似性を示し得る。たとえば、グラフ600は、各々8μs持続し得る、W-CUBSおよびWi-Fiプリアンブルの各々について、W-STF部分605およびW-LTF部分610を示し得る。グラフ600に示されるように、W-CUBSとWi-Fiプリアンブルとの間の類似性は、有効なWi-FiプリアンブルとしてWi-Fiプロトコルを使用するデバイスによってW-CUBSが受信され、復号されることを可能にし得る。したがって、Wi-Fiプロトコルを使用するデバイスは、W-CUBSの受信に基づいてバックオフ手順を実行し得る。
【００８２】
図7は、本開示の態様による、W-CUBS信号とWi-Fiプリアンブルのパイロットシンボルとの相関を示すグラフ700を示す。たとえば、グラフ700は、複数のSNRレベルでのW-CUBSとWi-Fiプリアンブルのパイロットシンボルとの相関を示す。グラフ700は、W-CUBS信号のW-STF信号およびW-LTF信号とWi-FiプリアンブルのL-STF信号およびL-LTF信号との相関を示し得る。たとえば、グラフ700によって示されるように、相関付けは、W-STFとW-LTFの両方についてほぼ1:1の自己相関係数をもたらし得る。グラフ700に示される高相関の期間は、W-CUBSが、広いSNR範囲にわたってWi-Fiプリアンブルパイロットシンボルに対する好ましい相関を提供し得ることを示す。
【００８３】
図8は、本開示の態様による、W-CUBSとLTE-Uシグネチャとの相関を示すグラフ800を示す。グラフ800は、複数のSNRレベルでのW-CUBSとLTE-Uシグネチャプリアンブルとの相関を示し得る。グラフ800は、W-STF信号およびW-LTF信号の予想されるLTE-Uシグネチャとの相関を示し得る。相関付けは、グラフ700における相関付けと一致する明確なピークをもたらし得る。これらのピークは、受信されたプリアンブルがW-CUBSであるかどうかを判定するために使用され得る。
【００８４】
図9は、本開示の態様による、強化されたプリアンブルについてのチャネルフェージングの影響を示す例示的な図900を示す。図900は、送信されたW-CUBS上の拡張された歩行者A(EPA)モデルなどのマルチパスフェージング伝搬状態の影響を示し得る。上の図は、フェージングのないW-STFフィールドおよびW-LTFフィールドの周波数領域表現を示し、下の図は、EPAチャネルモデルを通過した後のW-STFフィールドおよびW-LTFフィールドの周波数領域表現を示す。
【００８５】
図10は、本開示の態様による、チャネルフェージングを経験したW-CUBSについてのLTE-Uシグネチャの相関を示すグラフ1000を示す。グラフ1000は、複数のSNRレベルでのW-CUBSとLTE-Uシグネチャプリアンブルとの相関を示し得る。グラフ1000は、たとえば、図900によって周波数領域において示されるように、たとえばEPAモデルなど、W-STFフィールドおよび/またはW-LTFフィールドのマルチパスフェージング伝搬状態を経験するW-CUBSの時間領域表現であり得る。グラフ1000は、W-STF信号およびW-LTF信号の予想されるLTE-Uシグネチャとの相関を示し得る。相関付けは、グラフ700またはグラフ800に示されるものと同様の相関ピークと一致する明確なピークをもたらし得る。いくつかの場合には、しきい値が決定され得、これらのピークは、受信されたプリアンブルがW-CUBSであるか、またはたとえばWi-Fiプロトコルによって送信されたプリアンブルであるかを判定するために使用され得る。たとえば、自己相関ピークがしきい値を上回っている場合、デバイスは、受信信号をW-CUBSとしてフラグを立て得る。グラフ1000に示すように、W-CUBSにおけるLTE-Uシグネチャの検出は、マルチパスフェージング伝搬状態下であってもロバストであり得る。
【００８６】
図11は、本開示の態様による、重畳コーディングベースのプリアンブル設計のために構成されたワイヤレス通信デバイス1105のブロック図1100を示す。ワイヤレス通信デバイス1105は、図1および図2を参照しながら説明した基地局105またはUE115の態様の一例であり得る。ワイヤレス通信デバイス1105は、受信機1110と、ワイヤレス通信マネージャ1120と、送信機1190とを含み得る。ワイヤレス通信デバイス1105はまた、プロセッサをも含み得る。これらの構成要素の各々は、互いと通信することができる。
【００８７】
受信機1110は、パケット、ユーザデータ、または様々な情報チャネル(たとえば、制御チャネル、データチャネル、重畳コーディングベースのプリアンブルを含む信号など)に関連付けられた制御情報などの情報を受信し得る。情報は、ワイヤレス通信マネージャ1120およびワイヤレス通信デバイス1105の他の構成要素に渡され得る。いくつかの例では、受信機1110は、共有周波数チャネルを介して送信されたプリアンブル信号(たとえば、W-CUBS)を受信し得、プリアンブル信号が、第1のRATに関連付けられたあらかじめ定められたプリアンブル持続時間を有し、プリアンブル信号が、第1のRATに関連付けられたプリアンブルシーケンスに対応するシンボルの第1の組、および第2のRATに関連付けられたシグネチャに対応するシンボルの第2の組を有する。
【００８８】
送信機1190は、ワイヤレス通信デバイス1105の他の構成要素から受信された信号を送信し得る。いくつかの例では、送信機1190は、トランシーバモジュール内で受信機1110とコロケートされ得る。送信機1190は、単一のアンテナを含んでもよいし、複数のアンテナを含んでもよい。いくつかの例では、送信機1190は、第1のRATおよび第2のRATによって共有される周波数チャネルを介してプリアンブル信号(たとえば、W-CUBS)を送信し得る。
【００８９】
ワイヤレス通信マネージャ1120は、受信機によって受信された信号を介して運ばれる情報を解釈すること、および送信機1190によって送信された信号を介して送られる情報を準備することなど、通信の態様を管理するように構成され得る。様々な例では、ワイヤレス通信デバイス1105のワイヤレス通信マネージャ1120は、重畳コーディングプリアンブルマネージャ1130または重畳コーディングプリアンブルインタープリタ1140の一方または両方を含み得る。重畳コーディングプリアンブルマネージャ1130は、第1のRATのプリアンブルシーケンスに関連付けられたシンボルと第2のRATに関連付けられたシグネチャとの重畳を含むプリアンブル信号を生成するために構成され得る。重畳コーディングプリアンブルマネージャ1130は、共有無線周波数スペクトル帯域を介した送信のために、生成されたプリアンブル信号を送信機1190に提供し得る。重畳コーディングプリアンブルインタープリタ1140は、受信機1110からプリアンブルまたは処理されたプリアンブルからの情報を受信するために構成され得、プリアンブルは、第1のRATおよび第2のRATに対応するシンボルの重畳を含み得る。重畳コーディングプリアンブルインタープリタ1140は、その後、受信されたプリアンブル信号内のシグネチャを識別することに少なくとも部分的に基づいて、受信されたプリアンブル信号に関連付けられた送信機デバイスが特定のRATに関連付けられているかどうかを判定し得る。したがって、本開示の態様によれば、ワイヤレス通信マネージャ1120は、送信のための重畳コーディングを有するプリアンブルを準備する、第1のRATおよび第2のRATからのシンボルの重畳を含む受信されたプリアンブルを解釈する、または準備し、解釈するために構成され得る。
【００９０】
図12は、本開示の態様による、重畳コーディングプリアンブルマネージャ1130-aのブロック図1200を示す。重畳コーディングプリアンブルマネージャ1130-aは、図11を参照しながら説明した重畳コーディングプリアンブルマネージャ1130の態様の一例であり得、図11を参照しながら説明したように、ワイヤレス通信デバイス1105のワイヤレス通信マネージャ1120の一部であり得る(たとえば、図1および図2を参照しながら説明したような基地局105またはUE115など)。重畳コーディングプリアンブルマネージャ1130-aは、第1のRATプリアンブル生成器1210と、第2のRATシグネチャ生成器1220と、重畳コーダ1230とを含み得る。これらの構成要素の各々は、互いと通信することができる。
【００９１】
第1のRATプリアンブル生成器1210は、図2〜図10を参照しながら本明細書で説明したように、第1のRATに関連付けられたプリアンブルシーケンスのためのシンボルの第1の組1211を生成し得る。たとえば、第1のRATは、WLAN RAT(たとえば、Wi-Fiなど)であり得、シンボルの第1の組1211は、WLANプロトコルに従って、STFまたはLTFのシンボルの組の一方または両方を含み得る。第1のRATプリアンブル生成器1210は、シンボルの第1の組1211を重畳コーダ1230に提供し得る。
【００９２】
第2のRATシグネチャ生成器1220は、図2〜図10を参照しながら本明細書で説明したように、第2のRATに関連付けられたシグネチャのためのシンボルの第2の組1221を生成し得る。たとえば、第2のRATは、LTE RAT(たとえば、LTE、LTA-A、LTE-Uなど)であってもよく、シグネチャは、LTE-Uデバイスによって送信されたシンボルのシーケンスとして識別可能であり得るシンボルのシーケンスを含み得る。第2のRATシグネチャ生成器1220は、シンボルの第2の組1221を重畳コーダ1230に提供し得る。
【００９３】
重畳コーダ1230は、シンボルの第1の組1211とシンボルの第2の組1221との重畳を含むプリアンブル信号1231を生成し得る。重畳に続いて、図2〜図10を参照しながら本明細書で説明したように、プリアンブル信号1231に含まれるシンボルの第1の組1221は、第1のRATと第2のRATの両方にとって識別可能であり、シンボルの第2の組1221は、第2のRATにとってプリアンブル信号1231に含まれるものとして識別可能であり得る。重畳コーダ1230は、プリアンブル信号1231を、送信のために、図11を参照しながら説明した送信機1190などの送信機に提供し得る。
【００９４】
図13は、本開示の態様による、重畳コーディングプリアンブルマネージャ1130-bのブロック図1300を示す。重畳コーディングプリアンブルマネージャ1130-aは、図11および図12を参照しながら説明した重畳コーディングプリアンブルマネージャ1130の態様の一例であり得、図11を参照しながら説明したように、ワイヤレス通信デバイス1105のワイヤレス通信マネージャ1120の一部であり得る(たとえば、図1および図2を参照しながら説明したような基地局105またはUE115など)。重畳コーディングプリアンブルマネージャ1130-aは、第1のRATプリアンブル生成器1210-aと、第2のRATシグネチャ生成器1220-aと、重畳コーダ1230-aとを含み得る。これらの構成要素の各々は、互いと通信することができる。
【００９５】
第1のRATプリアンブル生成器1210-aは、図12を参照しながら説明した第1のRATプリアンブル生成器1210の一例であり得、図2〜図10を参照しながら本明細書で説明した第1のRAT(たとえば、Wi-FiなどのWLANプロトコル)に関連付けられたプリアンブルシーケンスのシンボルの第1の組1211-aを生成し得る。様々な例では、第1のRATプリアンブル生成器1210-aは、LTFパイロットシンボル生成器1310またはSTFパイロットシンボル生成器1315のうちの一方または両方を含み得る。
【００９６】
LTFパイロットシンボル生成器1310は、図3〜図10を参照しながら説明したWLAN LTFシンボルの組など、LTFシンボルの組1311を生成するように構成され得る。STFパイロットシンボル生成器1315は、図3〜図10を参照しながら説明したWLAN STFシンボルの組など、STFシンボルの組1316を生成するように構成され得る。
【００９７】
第2のRATシグネチャ生成器1220-aは、図12を参照しながら説明した第2のRATシグネチャ生成器1220の一例であり得、図2〜図10を参照しながら本明細書で説明した第2のRAT(たとえば、LTEベースのプロトコルなど)に関連付けられたシグネチャのシンボルの第2の組1221-aを生成し得る。様々な例では、第2のRATシグネチャ生成器1220-aは、あらかじめ定義されたシグネチャ記憶装置1320、シグネチャ決定器1330、または関数生成器1340のうちの任意の1つまたは複数を含み得る。
【００９８】
シグネチャ決定器1330は、あらかじめ定義されたシグネチャの組から第2のRATによって識別可能なシグネチャを決定し得る。いくつかの例では、シグネチャ決定器1330は、第2のRATシグネチャ生成器1220-aのメモリの一部であり得、そうでなければ重畳コーディングプリアンブルマネージャ1130-aにとって利用可能であり得る、あらかじめ定義されたシグネチャ記憶装置1320からシグネチャ1321を選択し得る。いくつかの例では、あらかじめ定義されたシグネチャ記憶装置1320は、互いに低い相互相関を有するあらかじめ定義されたシグネチャの組を含み得る。いくつかの例では、シグネチャ決定器1330は、関数生成器1340から受信された信号関数1341を使用し得る。関数生成器1340は、たとえば、擬似雑音(PN)関数、Chuシーケンス、または他の決定論的シーケンスに少なくとも部分的に基づいてシグネチャを生成し得る。
【００９９】
様々な例では、シグネチャの決定および/または選択は、第2のRATの送信機デバイスに関連付けられたデバイス識別子、第2のRATのセルに関連付けられたセル識別子、第2のRATのサポートされたリリースバージョン、送信機デバイスの電力クラス、送信長さ、パブリックランドモバイルネットワークID、チャネル番号、またはそれらの任意の組合せに少なくとも部分的に基づき得る。シグネチャ決定器1330は、決定されたシグネチャをシンボルの第2の組1221-aとして提供し得る。シンボルの第2の組1221-aは、単一の通信として示されているが、いくつかの例では、第2のRATシグネチャ生成器は、1つまたは複数の第2のRATシグネチャに対応する複数のシンボルの組を、別々の通信を介して重畳コーダ1230に提供し得る。たとえば、第2のRATシグネチャ生成器1220-aは、図3〜図10を参照しながら説明したように、W-LTFで使用するためのシンボルの組、およびW-STFで使用するためのシンボルの別の組を提供し得る。
【０１００】
いくつかの例では、シンボルの第2の組1221-aは、利得比をシンボルの第2の組1221-aに適用し得る利得スケーラ1350によって受信され得る。いくつかの例では、利得比は、シンボルの第1の組の送信とシンボルの第2の組の送信との間の干渉を低減するために、シンボルの第2の組に関連付けられた送信電力の低減に対応し得る。その後、利得スケーラ1350は、シンボルのスケーリングされた第2の組1351を重畳コーダ1230-aに提供し得る。
【０１０１】
重畳コーダ1230-aは、図12を参照しながら説明した重畳コーダ1230の一例であり得、図2〜図10を参照しながら本明細書で説明したシンボルの第1の組とシンボルの第2の組との重畳を含むプリアンブル信号を生成し得る。様々な例では、第1のRATプリアンブル生成器1210-aは、周波数領域重畳器1360またはIFFTプロセッサ1370のうちの一方または両方を含み得る。
【０１０２】
周波数領域重畳器1360は、周波数領域プリアンブル信号1361を取得するために、シンボルの第1の組1211-aおよびシンボルの第2の組1221-a(またはシンボルのスケーリングされた第2の組1351)の周波数領域の重畳を実行するように構成され得る。いくつかの例では、周波数領域重畳器1360は、シンボルの第1の組1211-aを、共有周波数チャネル内のプリアンブルシーケンスのパイロットシンボルに関連付けられたサブキャリアの第1の組にマッピングし、シンボルの第2の組1211-a(またはシンボルのスケーリングされた第2の組1351)を共有周波数チャネル内のサブキャリアの第2の組にマッピングするように構成され得る。いくつかの例では、図2〜図10を参照しながら本明細書で説明したように、サブキャリアの第2の組は、サブキャリアの第1の組のそれぞれのサブキャリアの間に1つまたは複数のサブキャリア周波数を含め得る。いくつかの例では、サブキャリアの第1の組は、第1のRATを介した送信に関連付けられた第1のサブキャリア間隔を有するサブキャリアのサブセットを含み得、サブキャリアの第2の組は、第1のサブキャリア間隔よりも小さい第2のサブキャリア間隔を有する1つまたは複数のサブキャリアを含み得る。
【０１０３】
IFFTプロセッサ1370は、時間領域プリアンブル信号1371を提供するために、図2〜図10を参照しながら本明細書で説明したように、周波数領域プリアンブル信号1361において周波数領域から時間領域への変換を実行するように構成され得る。いくつかの例では、時間領域プリアンブル信号1371は、IFFTプロセッサ1370から送信電力マネージャ1380へと進み得る。送信電力マネージャ1380は、電力関連プリアンブル信号1381を提供するために、送信電力を時間領域プリアンブル信号1371に関連付け得る。電力関連プリアンブル信号1381は、第1のRATに関連付けられたプリアンブルシーケンスについてのあらかじめ定義された送信電力レベルに少なくとも部分的に基づいて選択された送信電力を含み得る。
【０１０４】
いくつかの例では、電力関連プリアンブル信号1381は、再サンプリングされた周波数でプリアンブル信号1231-aを提供し得るリサンプラ1390に提供され得る。たとえば、リサンプラ1390は、図2〜図10を参照しながら本明細書で説明したように、プリアンブル信号1381を、第2のRATの送信に関連付けられたサンプリング周波数にダウンサンプリングし得る。いくつかの例では、サンプリング周波数は、第1のRATの送信に関連付けられたサンプリング周波数とは異なり得る。リサンプラ1390はまた、第2のRATの送信に関連付けられた第1のサンプリングレートで、受信されたプリアンブル信号1381をサンプリングし得る。重畳コーディングプリアンブルマネージャ1130-bは、プリアンブル信号1231-aを、送信のために、図11を参照しながら説明した送信機1190などの送信機に提供し得る。
【０１０５】
図14は、本開示の態様による、重畳コーディングプリアンブルインタープリタ1140-aのブロック図1400を示す。重畳コーディングプリアンブルインタープリタ1140-aは、図11を参照しながら説明した重畳コーディングプリアンブルインタープリタ1140の態様の一例であり得、ワイヤレス通信デバイス1105のワイヤレス通信マネージャ1120の一部であり得る(たとえば、図1および図2を参照しながら説明したような基地局105またはUE115など)。重畳コーディングプリアンブルインタープリタ1140-aは、第1のRATシンボルインタープリタ1410と、第2のRATシンボルインタープリタ1420と、RAT決定器1430とを含み得る。これらの構成要素の各々は、互いと通信することができる。
【０１０６】
第1のRATシンボルインタープリタ1410は、図11を参照して説明した受信機1110などの受信機からプリアンブル信号1401またはプリアンブル信号1401の一部を受信し得、これは、ワイヤレス通信マネージャ1120の別の部分から転送され得る。いくつかの例では、プリアンブル信号1401は、第1のRATのサンプリング周波数、または第2のRATに関連付けられたサンプル周波数に対応するサンプリング周波数でサンプリングされている可能性がある。たとえば、プリアンブル信号1401は、WLAN RATに関連付けられたサンプリング周波数(たとえば、40MHz)で、またはLTE RATに関連付けられたサンプリング周波数(たとえば、30.72MHz)で、受信機でサンプリングされている可能性がある。いくつかの例では、プリアンブル信号1401は、第1のサンプリング周波数と第2のサンプリング周波数の両方の整数倍またはそれに近いサンプリングレート(たとえば、120MHz)など、第1のRATと第2のRATの両方に適したサンプリング周波数で提供され得、これは、プリアンブル信号1401のフィルタリングをさらに含み得る。第1のRATシンボルインタープリタ1410は、たとえば、第1のRATに関連付けられたプリアンブルシーケンスに対応するシンボルの第1の組1411を識別し得る。第1のRATシンボルインタープリタ1410は、図11を参照して説明した受信機1110などの受信機からプリアンブル信号1401を受信し得る。第1のRATシンボルインタープリタ1410は、たとえば、第1のRATに関連付けられたプリアンブルシーケンスに対応するシンボルの第1の組1411を識別し得る。
【０１０７】
第2のRATシンボルインタープリタ1420も、受信機からプリアンブル信号1401またはプリアンブル信号1401の一部を受信し得、これもまた、ワイヤレス通信マネージャの別の部分から転送され得る。第2のRATシンボルインタープリタ1420は、たとえば、第2のRATに関連付けられたシグネチャに対応するシンボルの第2の組1421を識別し得る。
【０１０８】
RAT決定器1430は、受信されたプリアンブル信号内のシグネチャを識別することに少なくとも部分的に基づいて、受信されたプリアンブル信号に関連付けられた送信機デバイスが第2のRATに関連付けられていると判定し得る。たとえば、RAT決定器1430は、第2のRATに関連付けられた既知のシグネチャに対するシンボルの第2の組の間の相関を実行し得る。いくつかの例では、RAT決定器1430は、受信されたプリアンブル信号内の既知のシグネチャの欠如を識別することによって、送信機デバイスが第2のRATに関連付けられていないと判定し得る(たとえば、第1のRATに関連付けられている)。RAT決定器1430は、図11を参照しながら説明したワイヤレス通信マネージャ1120などのワイヤレス通信マネージャの他の部分に決定1431を提供し得る。決定1431は、(たとえば、競合手順、バックオフ手順などの実行など)共有無線周波数スペクトル帯域上の通信の態様を管理するなど、ワイヤレス通信マネージャの部分によって使用され得る。
【０１０９】
図15は、本開示の態様による、重畳コーディングプリアンブルインタープリタ1140-bのブロック図1500を示す。重畳コーディングプリアンブルインタープリタ1140-bは、図11または図12を参照しながら説明した重畳コーディングプリアンブルインタープリタ1140の態様の一例であり得、ワイヤレス通信デバイス1105のワイヤレス通信マネージャ1120の一部であり得る(たとえば、図1および図2を参照しながら説明したような基地局105またはUE115など)。重畳コーディングプリアンブルインタープリタ1140-bは、リサンプラ1510、メモリ1520、WLANプリアンブル検出器1530、LTE-Uシグネチャ識別子1540、WLANフレームシンクロナイザ1550、チャネルおよびノイズ推定器1560、復調器1570、およびRAT決定器1430-aを含み得る。重畳コーディングプリアンブルインタープリタ1140-bの構成要素は、フローチャート500の態様を実施するために使用され得、受信されたプリアンブルがLTE-Uシグネチャを含むかどうかを判定するために使用され得る。
【０１１０】
リサンプラ1510は、LTE RATに関連付けられた第1のサンプリング周波数(たとえば、30.72MHz)でプリアンブル信号1401-aを受信し、WLAN RATに関連付けられた第2のサンプリング周波数(たとえば、40MHz)でメモリ1520にサンプリングされたプリアンブル信号1511を提供し得る。メモリ1520は、ランダムアクセスメモリ(RAM)、不揮発性メモリなどを含み得る。メモリ1520は、コンピュータ可読、コンピュータ実行可能コードを記憶し得、サンプリングされたプリアンブル信号1511を記憶するためにさらに使用され得る。受信されたプリアンブル信号1401-aがWLANプリアンブルを含むかどうかを検出するために、WLANプリアンブル検出器1530によってメモリ1520からサンプル1521が取り出され得る。いくつかの例では、WLANプリアンブル検出器1530は、LTE-UシグネチャをWLANプリアンブルと同期させるために使用されるLTE-Uシグネチャ識別子1540に同期情報1551を提供し得るWLANフレームシンクロナイザ1550にプリアンブル情報1531を提供し得る。追加または代替として、WLANフレームシンクロナイザ1550は、同期情報1552または1553をチャネルおよびノイズ推定器1560および/または復調器1570にそれぞれ送り得る。同期情報1552は、WLANプリアンブルまたはLTE-Uシグネチャ(たとえば、関連する制御情報および/またはデータ)のチャネルおよびノイズ推定を強化するために、チャネルおよびノイズ推定器1560によって使用され得る。同期情報1553は、WLANプリアンブルまたはLTE-Uシグネチャ、または他の関連するシグナリング(たとえば、関連する制御情報および/またはデータ)の復調を強化するために、復調器1570によって使用され得る。
【０１１１】
受信されたプリアンブル信号1401-aがLTE-Uシグネチャを含むかどうかを識別するために、LTE-Uシグネチャ識別子1540によってサンプル1522が取り出され得る。LTE-Uシグネチャ識別子1540の動作は、識別情報内の同期情報1551を利用し得、たとえばWLANプリアンブル検出器1530によってLTE-Uシグネチャ情報1541を提供し得る。追加または代替として、LTE-Uシグネチャ識別子1540は、LTE-Uシグネチャ情報1542をチャネルおよびノイズ推定器1560に提供し得る。
【０１１２】
チャネルおよびノイズ推定器1560は、LTE-UシグネチャおよびWLANプリアンブルの組合せであり得るプリアンブル情報1532をWLANプリアンブル検出器から、および/またはLTE-Uシグネチャ情報1542をLTE-Uシグネチャ識別子から受信し得る。チャネルおよびノイズ推定器1560は、プリアンブル情報1532および/またはLTE-Uシグネチャ情報1542の態様を向上させ(たとえば、ノイズを低減し、チャネル相関を向上させるなど)、向上したプリアンブル情報1561を復調器1570に提供し得る。復調器1570は、たとえば、LTE-Uシグネチャおよび/またはWLANプリアンブルを復調するために使用され得る。復調されたLTE-Uシグネチャは、第2のRATの送信機デバイスに関連付けられたデバイス識別子、第2のRATのセルに関連付けられたセル識別子、第2のRATのサポートされたバージョン、送信機デバイスの電力クラス、送信長さ、またはそれらの組合せなどの情報を含み得る。いくつかの例では、復調器1570は、受信されたプリアンブル信号1401-aがLTE RATに関連付けられたデバイスから受信されたかどうかの決定1431-aを提供し得るRAT決定器1430-aにLTE-Uシグネチャ情報1571を提供することができる。
【０１１３】
図11〜図15を参照しながら説明したワイヤレス通信デバイス1105、重畳コーディングプリアンブルマネージャ1130、および重畳コーディングプリアンブルインタープリタ1140の構成要素は、個々にまたは集合的に、ハードウェア内の適用可能な機能の一部または全部を実行するように適合された少なくとも1つの特定用途向け集積回路(ASIC)で実装され得る。代替的に、機能は、1つまたは複数の他の処理ユニット(またはコア)によって、少なくとも1つの集積回路(IC)上で実行され得る。他の例では、当技術分野で知られている任意の方法でプログラムされ得る、他のタイプの集積回路が使用され得る(たとえば、構造化/プラットフォームASIC、フィールドプログラマブルゲートアレイ(FPGA)、または別のセミカスタムIC)。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【０１１４】
図11〜図15を参照しながら説明した重畳コーディングプリアンブルマネージャ1130または重畳コーディングプリアンブルインタープリタ1140の様々な例において、示されたブロックの1つまたは複数は、デバイス(たとえば、図11を参照しながら説明したワイヤレス通信デバイス1105)のメモリに記憶されたソフトウェア/ファームウェアコードの部分(たとえば、機能ブロックなど)として実装され得る。そのような例では、それぞれの通信のいずれかが、コードのそれぞれの部分間のパラメータハンドオフとして実装され得る。追加または代替として、図示されたブロックの1つもしくは複数、またはその任意の一部は、スタンドアローンプロセッサで実行されるコードの部分を含む別個のハードウェアユニットによって実装され得る。そのような例では、それぞれの通信のいずれかが、それぞれの別個のハードウェアユニット間のワイヤードまたはワイヤレス信号送信として実装され得る。
【０１１５】
図16は、本開示の態様による、重畳コーディングベースのプリアンブル設計のために構成されたUE115-cを含むシステム1600の図を示す。デバイス115-cは、図1および図2を参照しながら説明したUE115、または図11を参照しながら説明したワイヤレス通信デバイス1105の例であり得る。UE115-cは、ワイヤレス通信マネージャ1120-aを含み得、ワイヤレス通信マネージャ1120-aは、図11を参照しながら説明したワイヤレス通信マネージャ1120の一例であり得る。UE115-cはまた、通信を送信するための構成要素と通信を受信するための構成要素とを含む、双方向音声およびデータ通信のための構成要素を含み得る。たとえば、UE115-cは、基地局105-bおよび/またはUE115-dと双方向に通信することができる。
【０１１６】
UE115-cはまた、各々が、直接的にまたは間接的に(たとえば、バス1645を介して)互いと通信し得る、プロセッサ1605、メモリ1615、トランシーバ1635、および1つまたは複数のアンテナ1640を含み得る。トランシーバ1635は、前述のように、アンテナ1640またはワイヤードもしくはワイヤレスリンクを介して、1つまたは複数のネットワークと2方向に通信し得る。たとえば、トランシーバ1635は、基地局105-bおよび/またはUE115-dと双方向に通信することができる。トランシーバ1635は、パケットを変調し、変調されたパケットを送信のためにアンテナ1640に供給し、アンテナ1640から受信されたパケットを復調するためのモデムを含み得る。UE115-cは単一のアンテナ1640を含んでよいが、UE115-cは、複数のワイヤレス送信を同時に送信または受信することができる複数のアンテナ1640を有してもよい。
【０１１７】
メモリ1615は、ランダムアクセスメモリ(RAM)および読取り専用メモリ(ROM)を含み得る。メモリ1615は、プロセッサによって実行されると、UE115-cに、本明細書に記載される様々な機能(たとえば、複数のRATの共存のための重畳コーディングベースのプリアンブル設計など)を実行させる命令を含む、コンピュータ可読、コンピュータ実行可能ソフトウェア/ファームウェアコード1620を記憶し得る。あるいは、ソフトウェア/ファームウェアコード1620は、プロセッサ1605によって直接的に実行可能ではなく、(たとえば、コンパイルされ、実行されるとき)本明細書に記載の機能をコンピュータに実施させ得る。プロセッサ1605は、インテリジェントハードウェアデバイス(たとえば中央処理装置(CPU)、マイクロコントローラ、ASICなど)を含み得る。
【０１１８】
ワイヤレス通信マネージャ1120-aは、図11を参照しながら説明したワイヤレス通信マネージャ1120の一例であり得、本明細書で説明したように、共存するRATのための重畳コーディングベースのプリアンブル設計を実施する様々な態様を管理し得る。ワイヤレス通信マネージャ1120-aは、1つまたは複数のバス1645を介して、直接的または間接的にUE115-cの他の構成要素と通信し得る。ワイヤレス通信マネージャ1120-a、またはワイヤレス通信マネージャ1120-aの一部はプロセッサを含んでよく、あるいはワイヤレス通信マネージャ1120-aの機能の一部または全部は、プロセッサ1605によって、またはプロセッサ1605と連係して実施されてよい。
【０１１９】
図17は、本開示の態様による、重畳コーディングベースのプリアンブル設計のために構成された基地局105-cを含むシステム1700の図を示す。基地局105-cは、図1および図2を参照しながら説明した基地局105、または図11を参照しながら説明したワイヤレス通信デバイス1105の例であり得る。基地局105-cは、ワイヤレス通信マネージャ1120-bを含み得、ワイヤレス通信マネージャ1120-bは、図11を参照しながら説明したワイヤレス通信マネージャ1120の一例であり得る。基地局105-cはまた、通信を送信するための構成要素と通信を受信するための構成要素とを含む、双方向音声およびデータ通信のための構成要素を含み得る。たとえば、基地局105-cは、基地局105-d、基地局105-e、UE115-e、および/またはUE115-fと双方向に通信し得る。
【０１２０】
いくつかの場合には、基地局105-cは、1つまたは複数のワイヤードバックホールリンクを有し得る。基地局105-cは、コアネットワーク130-aへのワイヤードバックホールリンク(たとえば、S1インターフェースなど)を有し得る。基地局105-cは、基地局間バックホールリンク(たとえば、X2インターフェース)を介して、基地局105-dおよび基地局105-eなど、他の基地局105とも通信し得る。基地局105の各々は、同じまたは異なるワイヤレス通信技術を使用して、UE115と通信することができる。場合によっては、基地局105-cは、基地局通信モジュール1725を利用して、105-dまたは105-eのような他の基地局と通信することができる。いくつかの例では、基地局通信モジュール1725は、基地局105のいくつかの間の通信を行うために、LTE/LTE-Aワイヤレス通信ネットワーク技術内のX2インターフェースを提供し得る。いくつかの例では、基地局105-cは、コアネットワーク130-aを介して他の基地局と通信し得る。いくつかの場合には、基地局105-cは、ネットワーク通信モジュール1730を介してコアネットワーク130と通信し得る。
【０１２１】
基地局105-cは、各々が、直接的にまたは間接的に(たとえば、バス1745を介して)互いと通信し得る、プロセッサ1705、メモリ1715、トランシーバ1735、およびアンテナ1740を含み得る。トランシーバ1735は、アンテナ1740を介して、マルチモードデバイスであり得るUE115と双方向に通信するように構成され得る。トランシーバ1735(または基地局105-cの他の構成要素)はまた、アンテナ1740を介して、1つまたは複数の他の基地局(図示せず)と双方向に通信するように構成され得る。トランシーバ1735は、パケットを変調し、被変調パケットを送信できるようにアンテナ1740に提供し、アンテナ1740から受信されたパケットを復調するように構成されたモデムを含んでもよい。基地局105-cは、各々が1つまたは複数の関連付けられたアンテナ1740をもつ、複数のトランシーバ1735を含み得る。トランシーバ1735およびアンテナ1740は、図11を参照しながら説明した受信機1110と送信機1190の両方の態様(たとえば、結合された受信機1110および送信機1190など)の一例であり得る。
【０１２２】
メモリ1715は、RAMおよびROMを含み得る。メモリ1715はまた、プロセッサ1705によって実行されると、本明細書で説明する様々な機能(たとえば、カバレージ拡張技法の選択、呼処理、データベース管理、メッセージルーティングなど)を基地局105-cに実行させるように構成された命令を含む、コンピュータ可読、コンピュータ実行可能ソフトウェア/ファームウェアコード1720を記憶し得る。あるいは、ソフトウェア/ファームウェアコード1720は、プロセッサ1705によって直接実行可能でなくてもよいが、たとえば、コンパイルされ、実行されると、コンピュータに、本明細書に記載の機能を実行させるように構成され得る。プロセッサ1705は、インテリジェントハードウェアデバイス、たとえば、CPU、マイクロコントローラ、ASICなどを含み得る。プロセッサ1705は、エンコーダ、キュー処理モジュール、ベースバンドプロセッサ、無線ヘッドコントローラ、デジタル信号プロセッサ(DSP)などの様々な専用プロセッサを含み得る。
【０１２３】
基地局通信モジュール1725は、他の基地局105との通信を管理することができる。基地局通信モジュール1725は、他の基地局105と協働してUE115との通信を制御するためのコントローラまたはスケジューラを含み得る。たとえば、基地局通信モジュール1725は、ビームフォーミングまたはジョイント送信のような様々な干渉軽減技法によりUE115への送信のためのスケジューリングを調整することができる。
【０１２４】
ワイヤレス通信マネージャ1120-bは、図11を参照しながら説明したワイヤレス通信マネージャ1120の一例であり得、本明細書で説明したように、共存するRATのための重畳コーディングベースのプリアンブル設計を実施する様々な態様を管理し得る。ワイヤレス通信マネージャ1120-bは、1つまたは複数のバス1745を介して、直接的または間接的に基地局105-cの他の構成要素と通信し得る。ワイヤレス通信マネージャ1120-b、またはワイヤレス通信マネージャ1120-bの一部はプロセッサを含んでよく、あるいはワイヤレス通信マネージャ1120-bの機能の一部または全部は、プロセッサ1705によって、またはプロセッサ1705と連係して実施されてよい。
【０１２５】
図18は、本開示の態様による、プリアンブルの重畳コーディングのための方法1800を示すフローチャートを示す。方法1800の動作は、図11を参照しながら説明したワイヤレス通信デバイス1105、図1、図2、または図16を参照しながら説明したUE115、図1、図2、または図17を参照しながら説明した基地局105などのデバイスまたはその構成要素によって実施され得る。たとえば、方法1800の動作は、図11、図12、または図13を参照して説明した重畳コーディングプリアンブルマネージャ1130による動作を含めて、図11、図16、または図17を参照しながら説明したワイヤレス通信マネージャ1120によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。
【０１２６】
ブロック1805において、デバイスは、図2〜図10を参照しながら本明細書で説明したように、第1のRATに関連付けられたプリアンブルシーケンスのためのシンボルの第1の組を生成し得る。いくつかの例では、ブロック1805の動作は、図12または図13を参照しながら本明細書で説明した第1のRATプリアンブル生成器1210によって実行され得る。
【０１２７】
ブロック1810において、デバイスは、図2〜図10を参照しながら本明細書で説明したように、第2のRATに関連付けられたシグネチャのためのシンボルの第2の組を生成し得る。いくつかの例では、ブロック1810の動作は、図12または図13を参照しながら本明細書で説明した第2のRATシグネチャ生成器1220によって実行され得る。
【０１２８】
ブロック1815において、デバイスは、シンボルの第1の組とシンボルの第2の組との重畳を含むプリアンブル信号を生成し得る。いくつかの例では、図2〜図10を参照しながら本明細書で説明したように、シンボルの第1の組は、第1のRATと第2のRATの両方によって識別可能であり、シンボルの第2の組は、第2のRATにとって識別可能であり得る。いくつかの例では、ブロック1815の動作は、図12または図13を参照しながら本明細書で説明した重畳コーダ1230によって実行され得る。
【０１２９】
ブロック1820において、デバイスは、図2〜図10を参照しながら本明細書で説明したように、第1のRATおよび第2のRATによって共有される周波数チャネルを介してプリアンブル信号を送信し得る。いくつかの例では、ブロック1820の動作は、図11を参照しながら説明した送信機1190、図16を参照しながら説明したトランシーバ1635およびアンテナ1640、または図17を参照しながら説明したトランシーバ1735およびアンテナ1740によって、またはそれと協働して実行され得る。いくつかの例では、送信は、図11、図14、または図15を参照しながら説明した重畳コーディングプリアンブルマネージャ1130を含む、図11、図16、または図17を参照しながら説明したワイヤレス通信マネージャ1120と協働し得る。
【０１３０】
図19は、本開示の態様による、プリアンブルの重畳コーディングのための方法1900を示すフローチャートを示す。方法1900の動作は、図11を参照しながら説明したワイヤレス通信デバイス1105、図1、図2、または図16を参照しながら説明したUE115、図1、図2、または図17を参照しながら説明した基地局105などのデバイスまたはその構成要素によって実施され得る。たとえば、方法1900の動作は、図11、図12、または図13を参照して説明した重畳コーディングプリアンブルマネージャ1130による動作を含めて、図11、図16、または図17を参照しながら説明したワイヤレス通信マネージャ1120によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。
【０１３１】
ブロック1905において、デバイスは、図2〜図10を参照しながら本明細書で説明したように、第1のRATに関連付けられたプリアンブルシーケンスのためのシンボルの第1の組を生成し得る。いくつかの例では、ブロック1905の動作は、図12または図13を参照しながら本明細書で説明した第1のRATプリアンブル生成器1210によって実行され得る。
【０１３２】
ブロック1910において、デバイスは、図2〜図10を参照しながら本明細書で説明したように、第2のRATに関連付けられたシグネチャのためのシンボルの第2の組を生成し得る。いくつかの例では、ブロック1910の動作は、図12または図13を参照しながら本明細書で説明した第2のRATシグネチャ生成器1220によって実行され得る。
【０１３３】
ブロック1915において、デバイスは、図2〜図10を参照しながら本明細書で説明したように、シンボルの第2の組に利得比を適用し得る。いくつかの例では、ブロック1915の動作は、図13を参照しながら本明細書で説明したように、利得スケーラ1350によって実行され得る。
【０１３４】
ブロック1920において、デバイスは、シンボルの第1の組とシンボルの第2の組との重畳を含むプリアンブル信号を生成し得る。いくつかの例では、図2〜図10を参照しながら本明細書で説明したように、シンボルの第1の組は、第1のRATと第2のRATの両方によって識別可能であり、シンボルの第2の組は、第2のRATにとって識別可能であり得る。いくつかの例では、ブロック1920の動作は、図12または図13を参照しながら本明細書で説明した重畳コーダ1230によって実行され得る。
【０１３５】
ブロック1925において、デバイスは、図2〜図10を参照しながら本明細書で説明したように、第2のRATの送信に関連付けられたサンプリング周波数に対するプリアンブル信号を再サンプリングし得る。いくつかの例では、ブロック1925の動作は、図13を参照しながら本明細書で説明したように、リサンプラ1390によって実行され得る。
【０１３６】
ブロック1930において、デバイスは、図2〜図10を参照しながら本明細書で説明したように、第1のRATおよび第2のRATによって共有される周波数チャネルを介してプリアンブル信号を送信し得る。いくつかの例では、ブロック1930の動作は、図11を参照しながら説明した送信機1190、図16を参照しながら説明したトランシーバ1635およびアンテナ1640、または図17を参照しながら説明したトランシーバ1735およびアンテナ1740によって、またはそれと協働して実行され得る。いくつかの例では、送信は、図11、図14、または図15を参照して説明しながら重畳コーディングプリアンブルマネージャ1130を含む、図11、図16、または図17を参照しながら説明したワイヤレス通信マネージャ1120と協働し得る。
【０１３７】
図20は、本開示の態様による、重畳コーディングベースのプリアンブルを処理するための方法2000を示すフローチャートを示す。方法2000の動作は、図11を参照しながら説明したワイヤレス通信デバイス1105、図1、図2、または図16を参照しながら説明したUE115、図1、図2、または図17を参照しながら説明した基地局105などのデバイスまたはその構成要素によって実施され得る。たとえば、方法2000の動作は、図11、図14、または図15を参照しながら説明した重畳コーディングプリアンブルインタープリタ1140による動作を含めて、図11、図16、または図17を参照しながら説明したワイヤレス通信マネージャ1120によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。
【０１３８】
ブロック2005において、デバイスは、第1のRATおよび第2のRATによって共有される周波数チャネルを介して送信されるプリアンブル信号を受信し得る。プリアンブル信号は、第1のRATに関連付けられたあらかじめ定められたプリアンブル時間期間であり得、図2〜図10を参照しながら本明細書で説明したように、第1のRATおよび第2のRATによって識別可能であり得る。たとえば、プリアンブル信号は、第1のRATに関連付けられたプリアンブルシーケンスに対応するシンボルの第1の組、および第2のRATに関連付けられたシグネチャに対応するシンボルの第2の組を有し得る。いくつかの例では、ブロック2005の動作は、図11を参照しながら説明した受信機1110、図16を参照しながら説明したトランシーバ1635およびアンテナ1640、または図17を参照しながら説明したトランシーバ1735およびアンテナ1740によって実行され得る。いくつかの例では、受信は、図11、図14、または図15を参照しながら説明した重畳コーディングプリアンブルインタープリタ1140を含む、図11、図16、または図17を参照しながら説明したワイヤレス通信マネージャ1120と協働し得る。
【０１３９】
ブロック2010において、デバイスは、図2〜図10を参照しながら本明細書で説明したように、受信されたプリアンブル信号内のシグネチャを識別することに少なくとも部分的に基づいて、受信されたプリアンブル信号に関連付けられた送信機デバイスが第2のRATに関連付けられていると判定し得る。たとえば、デバイスは、受信されたプリアンブル信号を、第2のRATに関連付けられたシグネチャに相関させ得、これは、第2のRATのプロトコルに従って、受信されたプリアンブルが送信されたという決定を提供し得る。いくつかの例では、ブロック2010の動作は、図14または図15を参照しながら本明細書で説明したRAT決定器1430によって実行され得る。
【０１４０】
図21は、本開示の態様による、重畳コーディングベースのプリアンブルを処理するための方法2100を示すフローチャートである。方法2100の動作は、図11を参照しながら説明したワイヤレス通信デバイス1105、図1、図2、または図16を参照しながら説明したUE115、図1、図2、または図17を参照しながら説明した基地局105などのデバイスまたはその構成要素によって実施され得る。たとえば、方法2100の動作は、図11、図14、または図15を参照しながら説明した重畳コーディングプリアンブルインタープリタ1140による動作を含めて、図11、図16、または図17を参照しながら説明したワイヤレス通信マネージャ1120によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。
【０１４１】
ブロック2105において、デバイスは、第1のRATおよび第2のRATによって共有される周波数チャネルを介して送信されるプリアンブル信号を受信し得る。プリアンブル信号は、第1のRATに関連付けられたあらかじめ定められたプリアンブル時間期間であり得、図2〜図10を参照しながら本明細書で説明したように、第1のRATおよび第2のRATによって識別可能であり得る。たとえば、プリアンブル信号は、第1のRATに関連付けられたプリアンブルシーケンスに対応するシンボルの第1の組、および第2のRATに関連付けられたシグネチャに対応するシンボルの第2の組を有し得る。いくつかの例では、ブロック2005の動作は、図11を参照しながら説明した受信機1110、図16を参照しながら説明したトランシーバ1635およびアンテナ1640、または図17を参照しながら説明したトランシーバ1735およびアンテナ1740によって実行され得る。いくつかの例では、受信は、図11、図14、または図15を参照しながら説明した重畳コーディングプリアンブルインタープリタ1140を含む、図11、図16、または図17を参照しながら説明したワイヤレス通信マネージャ1120と協働し得る。
【０１４２】
ブロック2110において、デバイスは、図2〜図10を参照しながら説明したように、第2のRATの送信に関連付けられた第1のサンプリングレートで受信されたプリアンブルをサンプリングし得る。いくつかの例では、ブロック2110の動作の少なくとも一部分は、図11を参照しながら説明した受信機1110、図16を参照しながら説明したトランシーバ1635、または図17を参照しながら説明したトランシーバ1735によって実行され得る。追加または代替として、いくつかの例では、ブロック2110のサンプリングの少なくとも一部分は、図11、図14、または図15を参照しながら説明した重畳コーディングプリアンブルインタープリタ1140を含む、図11、図16、または図17を参照しながら説明したワイヤレス通信マネージャ1120によって実行され得る。いくつかの例では、サンプリングの少なくとも一部分は、図14を参照しながら本明細書で説明した第2のRATシンボルインタープリタ1420によって実行され得る。
【０１４３】
ブロック2115において、デバイスは、図2〜図10を参照しながら説明したように、第1のRATのプリアンブル送信に関連付けられた第2のサンプリングレートで受信されたプリアンブルを再サンプリングし得る。いくつかの例では、ブロック2115の動作の少なくとも一部分は、図11を参照しながら説明した受信機1110、図16を参照しながら説明したトランシーバ1635、または図17を参照しながら説明したトランシーバ1735によって実行され得る。追加または代替として、いくつかの例では、ブロック2115の再サンプリングの少なくとも一部分は、図11、図14、または図15を参照しながら説明した重畳コーディングプリアンブルインタープリタ1140を含む、図11、図16、または図17を参照しながら説明したワイヤレス通信マネージャ1120によって実行され得る。たとえば、ブロック2115における再サンプリングの少なくとも一部分は、図15を参照しながら説明したリサンプラ1510によって実行され得る。
【０１４４】
ブロック2120において、デバイスは、受信されたプリアンブル信号において、第1のRATに関連付けられたプリアンブルシーケンスに対応するシンボルの第1の組を識別し得る。いくつかの例では、ブロック2120の識別の少なくとも一部分は、図11、図14、または図15を参照しながら説明した重畳コーディングプリアンブルインタープリタ1140を含む、図11、図16、または図17を参照しながら説明したワイヤレス通信マネージャ1120によって実行され得る。いくつかの例では、識別の少なくとも一部分は、図14を参照しながら説明した第1のRATシンボルインタープリタ1410、または図15を参照しながら説明したWLANプリアンブル検出器1530によって実行され得る。
【０１４５】
ブロック2125において、デバイスは、受信されたプリアンブル信号を、第2のRATに関連付けられたシグネチャに相関させ得る。いくつかの例では、ブロック2125の相関付けの少なくとも一部分は、図11、図14、または図15を参照しながら説明した重畳コーディングプリアンブルインタープリタ1140を含む、図11、図16、または図17を参照しながら説明したワイヤレス通信マネージャ1120によって実行され得る。いくつかの例では、相関付けの少なくとも一部分は、図14を参照しながら説明した第2のRATシンボルインタープリタ1420、図15を参照しながら説明したLTE-Uシグネチャ識別子1540、および/または図14もしくは図15を参照しながら説明したRAT検出器1430によって実行され得る。
【０１４６】
ブロック2130において、デバイスは、図2〜図10を参照しながら本明細書で説明したように、受信されたプリアンブル信号内のシグネチャを識別することに少なくとも部分的に基づいて、受信されたプリアンブル信号に関連付けられた送信機デバイスが第2のRATに関連付けられていると判定し得る。たとえば、デバイスは、受信されたプリアンブル信号を、第2のRATに関連付けられたシグネチャに相関させ得、これは、第2のRATのプロトコルに従って、受信されたプリアンブルが送信されたという決定を提供し得る。いくつかの例では、ブロック2130の動作は、図14または図15を参照しながら本明細書で説明したRAT決定器1430によって実行され得る。
【０１４７】
したがって、方法1800、1900、2000、および2100は、プリアンブルの重畳コーディングを提供することができる。方法1800、1900、2000、および2100は、可能な実装形態について説明しており、動作およびステップは、他の実装形態が可能であるように再配置、またはさもなければ修正され得ることに留意されたい。いくつかの例では、方法1800、1900、2000、および2100のうちの2つ以上からの態様が組み合わされてよい。
【０１４８】
添付の図面に関して上記に記載した発明を実施するための形態は、例示的な構成について説明するものであり、実装され得るか、または特許請求の範囲内にあるすべての例を表すものではない。本明細書全体を通して使用される「例示的」という用語は、「例、事例、または実例として役立つ」を意味し、「好ましい」または「他の例よりも有利」を意味するものではない。詳細な説明は、記載された技法の理解を提供する目的のための具体的な詳細を含む。しかしながら、これらの技法は、これらの具体的な詳細を伴わずに実践され得る。いくつかの事例では、説明された例の概念を不明瞭にすることを避けるために、よく知られている構造およびデバイスがブロック図の形で示されている。
【０１４９】
本明細書で使用する、「に基づいて」という句は、条件の閉集合を指すものと解釈されるものではない。たとえば、「条件Aに基づいて」と記載される例示的なステップは、本開示の範囲から逸脱することなく、条件Aと条件Bの両方に基づいてよい。言い換えると、本明細書で使用する、「に基づいて」という句は、「に少なくとも部分的に基づいて」という句と同じように企図されるものである。
【０１５０】
様々な異なる技術および技法のうちのいずれかを使用して、情報および信号が表される場合がある。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１５１】
本明細書の開示に関して記載された様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書に記載された機能を実施するように設計されたそれらの任意の組合せを用いて実装または実施される場合がある。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ、たとえば、DSPおよびマイクロプロセッサの組合せ、複数のマイクロプロセッサ、DSPコアと連携する1つまたは複数のマイクロプロセッサ、または任意の他のそのような構成として実装され得る。
【０１５２】
本明細書に記載された機能は、ハードウェア、プロセッサによって実行されるソフトウェア、ファームウェア、またはそれらの任意の組合せに実装される場合がある。プロセッサによって実行されるソフトウェアに実装される場合、機能は、1つまたは複数の命令またはコードとしてコンピュータ可読媒体上に記憶されるか、またはコンピュータ可読媒体を介して送信される場合がある。他の例および実装形態は、本開示の範囲内および添付の特許請求の範囲内にある。たとえば、ソフトウェアの性質に起因して、上述された機能は、プロセッサ、ハードウェア、ファームウェア、ハードワイヤリング、またはこれらの任意の組合せによって実行されるソフトウェアを使用して実装することができる。機能を実装する特徴は、機能の部分が異なる物理的位置において実装されるように分散されることを含め、様々な場所に物理的に位置する場合もある。また、特許請求の範囲を含めて、本明細書で使用する場合、項目のリスト(たとえば、「のうちの少なくとも1つ」または「のうちの1つまたは複数」のような句で終わる項目のリスト)で使用される「または」は、たとえば、[A、B、またはCのうちの少なくとも1つ]のリストがAまたはBまたはCまたはABまたはACまたはBCまたはABC(すなわち、AおよびBおよびC)を意味するように、包含的リストを示す。
【０１５３】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセス可能である任意の入手可能な媒体とすることができる。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用コンピュータもしくは専用コンピュータまたは汎用プロセッサもしくは専用プロセッサによってアクセスされ得る任意の他の非一時的媒体を含むことができる。さらに、任意の接続が、適正にコンピュータ可読媒体と称される。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピーディスク(disk)およびBlu-ray（登録商標）ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１５４】
本開示の前述の説明は、当業者が本開示を作製または使用することを可能にするために提供される。本開示への様々な修正は、当業者に容易に明らかになり、本明細書で定義する一般原理は、本開示の範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【０１５５】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。「システム」および「ネットワーク」という用語は、しばしば互換的に使用される。CDMAシステムは、CDMA2000、ユニバーサル地上波無線アクセス(UTRA:Universal Terrestrial Radio Access)などのような無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、High Rate Packet Data (HRPD)などと呼ばれる。UTRAは、Wideband CDMA (WCDMA（登録商標）)およびCDMAの他の変形態を含む。TDMAシステムは、モバイル通信用グローバルシステム(GSM（登録商標）:Global System for Mobile Communications)のような無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどのような無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するユニバーサルモバイルテレコミュニケーションシステム(UMTS)の新しいリリースである。UTRA、E-UTRA、UMTS、LTE、LTE-A、およびモバイル通信用グローバルシステム(GSM（登録商標）)は、「第3世代パートナーシッププロジェクト」(3GPP)という名称の組織からの文書に記載されている。CDMA2000およびUMBは、「第3世代パートナーシッププロジェクト2(3GPP2:3rd Generation Partnership Project 2)」という名称の組織からの文書に記載されている。本明細書で説明される技法は、上で言及されたシステムおよび無線技術、ならびに他のシステムおよび無線技術のために使用されてもよい。ただし、上の説明では、例としてLTEシステムについて説明し、上の説明の大部分においてLTE用語が使用されるが、本技法はLTE適用例以外に適用可能である。
【符号の説明】
【０１５６】
100  ワイヤレス通信システム
105  基地局
115  UE
130  コアネットワーク
132  バックホールリンク
134  バックホールリンク
150  Wi-Fiアクセスポイント(AP)
155  Wi-Fiステーション(STA)
200  ワイヤレス通信環境
205  通信リンク
300-a  LTEフレーム
300-b  チャネル構造
305  領域
315  W-SIGフィールド
320  ペイロードフィールド
325  W-STFフィールド
330  W-LTFフィールド
335  STFパイロット
340  LTE-Uシグネチャパイロットの第1の組
345  LTFパイロット
350  LTE-Uシグネチャパイロットの第2の組
405  利得要素
410  逆高速フーリエ変換(IFFT)
415  時間領域処理
420  結合ユニット
425  シンボルの第2の組
430  シンボルの第1の組
435  周波数パディング
440  周波数パディング
445  シンボルの第3の組
450  シンボルの第4の組
455  利得要素
460  第1のスケーリングされたLTE-Uシグネチャシーケンス
465  第2のスケーリングされたLTE-Uシグネチャシーケンス
470  W-STF
475  W-LTF
480  IFFT
485  時間領域処理
490  処理されたW-STF
495  処理されたW-LTF
605  W-STF部分
610  W-LTF部分
1105  ワイヤレス通信デバイス
1110  受信機
1120  ワイヤレス通信マネージャ
1130  重畳コーディングプリアンブルマネージャ
1140  重畳コーディングプリアンブルインタープリタ
1190  送信機
1210  第1のRATプリアンブル生成器
1211  シンボルの第1の組
1220  第2のRATシグネチャ生成器
1221  シンボルの第2の組
1230  重畳コーダ
1231  プリアンブル信号
1310  LTFパイロットシンボル生成器
1311  LTFシンボルの組
1315  STFパイロットシンボル生成器
1316  STFシンボルの組
1320  あらかじめ定義されたシグネチャ記憶装置
1321  シグネチャ
1330  シグネチャ決定器
1340  関数生成器
1341  信号関数
1350  利得スケーラ
1351  シンボルのスケーリングされた第2の組
1360  周波数領域重畳器
1361  周波数領域プリアンブル信号
1370  IFFTプロセッサ
1371  時間領域プリアンブル信号
1380  送信電力マネージャ
1381  電力関連プリアンブル信号
1390  リサンプラ
1401  プリアンブル信号
1410  第1のRATシンボルインタープリタ
1411  シンボルの第1の組
1421  シンボルの第2の組
1420  第2のRATシンボルインタープリタ
1430  RAT決定器
1431  決定
1510  リサンプラ
1511  サンプリングされたプリアンブル信号
1520  メモリ
1521  サンプル
1522  サンプル
1530  WLANプリアンブル検出器
1531  プリアンブル情報
1532  プリアンブル情報
1540  LTE-Uシグネチャ識別子
1541  LTE-Uシグネチャ情報
1542  LTE-Uシグネチャ情報
1550  WLANフレームシンクロナイザ
1551  同期情報
1552  同期情報
1553  同期情報
1560  チャネルおよびノイズ推定器
1561  プリアンブル情報
1570  復調器
1605  プロセッサ
1615  メモリ
1620  コンピュータ可読、コンピュータ実行可能ソフトウェア/ファームウェアコード
1635  トランシーバ
1640  アンテナ
1645  バス
1700  システム
1705  プロセッサ
1715  メモリ
1720  コンピュータ可読、コンピュータ実行可能ソフトウェア/ファームウェアコード
1725  基地局通信モジュール
1730  ネットワーク通信モジュール
1735  トランシーバ
1740  アンテナ
1745  バスシステム
【図１】
0006408716.tif 000004
【図２】
0006408716.tif 000005
【図３Ａ】
0006408716.tif 000006
【図３Ｂ】
0006408716.tif 000007
【図４】
0006408716.tif 000008
【図５】
0006408716.tif 000009
【図６】
0006408716.tif 000010
【図７】
0006408716.tif 000011
【図８】
0006408716.tif 000012
【図９】
0006408716.tif 000013
【図１０】
0006408716.tif 000014
【図１１】
0006408716.tif 000015
【図１２】
0006408716.tif 000016
【図１３】
0006408716.tif 000017
【図１４】
0006408716.tif 000018
【図１５】
0006408716.tif 000019
【図１６】
0006408716.tif 000020
【図１７】
0006408716.tif 000021
【図１８】
0006408716.tif 000022
【図１９】
0006408716.tif 000023
【図２０】
0006408716.tif 000024
【図２１】
0006408716.tif 000025